(57)【要約】【課題】無線ネットワークを介して通信する通信装置が不適切な場所で利用されることを制限することができる通信装置、センタ装置、通信システム、通信接続方法及び通信接続プログラムを提供する。【解決手段】通信装置５は、相手通信装置との通信処理を行う通信処理部５１と、相手通信装置による通話の着信又はデータの着信を許可する位置の範囲を示す着信許可範囲情報を記憶する記憶部５５と、通信処理部を介して、相手通信装置が存在する位置を示す相手装置位置情報を受信する相手装置位置受信手段５６３と、相手通信装置へ通話の発信又はデータの発信を行う前に、相手装置位置情報に示される位置が着信許可範囲情報に示される範囲に含まれるか否かを判定し、その位置がその範囲に含まれる場合に、相手通信装置への通話の発信又はデータの発信を通信処理部に行わせる判定手段５６４と、を有する。【選択図】図１
2014086768.tif 000002
【特許請求の範囲】
【請求項１】
相手通信装置へ通話の発信又はデータの発信を行う通信装置であって、
前記相手通信装置との通信処理を行う通信処理部と、
前記相手通信装置による通話の着信又はデータの着信を許可する位置の範囲を示す着信許可範囲情報を記憶する記憶部と、
前記通信処理部を介して、前記相手通信装置が存在する位置を示す相手装置位置情報を受信する相手装置位置受信手段と、
前記相手通信装置へ前記通話の発信又は前記データの発信を行う前に、前記相手装置位置情報に示される位置が前記着信許可範囲情報に示される範囲に含まれるか否かを判定し、当該位置が当該範囲に含まれる場合、前記相手通信装置への前記通話の発信又は前記データの発信を前記通信処理部に行わせる判定手段と、
を有することを特徴とした通信装置。
【請求項２】
前記通信装置が存在する位置を測定し、当該位置を示す自装置位置情報を生成する位置測定部をさらに有し、
前記記憶部は、前記通信装置による前記通話の発信又は前記データの発信を許可する位置の範囲を示す発信許可範囲情報をさらに記憶し、
前記判定手段は、前記自装置位置情報に示される位置が前記発信許可範囲情報に示される範囲に含まれるか否かをさらに判定し、当該位置が当該範囲に含まれる場合、前記相手通信装置への前記通話の発信又は前記データの発信を前記通信処理部に行わせる、請求項１に記載の通信装置。
【請求項３】
前記記憶部は、前記相手通信装置が複数登録されている場合、前記着信許可範囲情報を、前記登録されている複数の相手通信装置のそれぞれごとに記憶する、請求項１または２に記載の通信装置。
【請求項４】
相手通信装置との通信処理を行う通信処理部と記憶部とを有し、前記相手通信装置へ通話の発信又はデータの発信を行う通信装置における通信接続方法であって、
前記記憶部から前記相手通信装置による通話の着信又はデータの着信を許可する位置の範囲を示す着信許可範囲情報を読み出し、
前記通信処理部を介して、前記相手通信装置が存在する位置を示す相手装置位置情報を受信し、
前記相手通信装置へ前記通話の発信又は前記データの発信を行う前に、前記相手装置位置情報に示される位置が前記着信許可範囲情報に示される範囲に含まれるか否かを判定し、当該位置が当該範囲に含まれる場合、前記相手通信装置への前記通話の発信又は前記データの発信を前記通信処理部に行わせる
ことを含むことを特徴とした通信接続方法。
【請求項５】
相手通信装置との通信処理を行う通信処理部と記憶部とを有する通信装置に、前記相手通信装置へ通話の発信又はデータの発信を行わせる通信接続プログラムであって、
前記記憶部から前記相手通信装置による通話の着信又はデータの着信を許可する位置の範囲を示す着信許可範囲情報を読み出し、
前記通信処理部を介して、前記相手通信装置が存在する位置を示す相手装置位置情報を受信し、
前記相手通信装置へ前記通話の発信又は前記データの発信を行う前に、前記相手装置位置情報に示される位置が前記着信許可範囲情報に示される範囲に含まれるか否かを判定し、当該位置が当該範囲に含まれる場合、前記相手通信装置への前記通話の発信又は前記データの発信を前記通信処理部に行わせる、
ことを前記通信装置に実行させる命令を含むことを特徴とした通信接続プログラム。
【請求項６】
第２の通信装置へ通話の発信又はデータの発信を行う第１の通信装置と、前記第２の通信装置と、を有する通信システムであって、
前記第２の通信装置は、前記第２の通信装置が存在する位置を示す着信装置位置情報を前記第１の通信装置へ送信し、
前記第１の通信装置は、
前記第２の通信装置との通信処理を行う通信処理部と、
前記第２の通信装置による通話の着信又はデータの着信を許可する位置の範囲を示す着信許可範囲情報を記憶する記憶部と、を有し、
前記通信処理部を介して前記着信装置位置情報を受信し、
前記第２の通信装置へ前記通話の発信又は前記データの発信を行う前に、前記着信装置位置情報に示される位置が前記着信許可範囲情報に示される範囲に含まれるか否かを判定し、当該位置が当該範囲に含まれる場合、前記第２の通信装置への前記通話の発信又は前記データの発信を前記通信処理部に行わせることを特徴とした通信システム。
【請求項７】
相手通信装置からの通話の着信又はデータの着信を行う通信装置であって、
前記相手通信装置との通信処理を行う通信処理部と、
前記相手通信装置による通話の発信又はデータの発信を許可する位置の範囲を示す発信許可範囲情報を記憶する記憶部と、
前記通信処理部を介して、前記相手通信装置が存在する位置を示す相手装置位置情報を受信する相手装置位置受信手段と、
前記相手通信装置からの前記通話の着信又は前記データの着信を行う前に、前記相手装置位置情報に示される位置が前記発信許可範囲情報に示される範囲に含まれるか否かを判定し、当該位置が当該範囲に含まれる場合、前記相手通信装置からの前記通話の着信又は前記データの着信を前記通信処理部に行わせる判定手段と、
を有することを特徴とした通信装置。
【請求項８】
相手通信装置との通信処理を行う通信処理部と記憶部とを有し、前記相手通信装置からの通話の着信又はデータの着信を行う通信装置における通信接続方法であって、
前記記憶部から前記相手通信装置による通話の発信又はデータの発信を許可する位置の範囲を示す発信許可範囲情報を読み出し、
前記通信処理部を介して、前記相手通信装置が存在する位置を示す相手装置位置情報を受信し、
前記相手通信装置からの前記通話の着信又は前記データの着信を行う前に、前記相手装置位置情報に示される位置が前記発信許可範囲情報に示される範囲に含まれるか否かを判定し、当該位置が当該範囲に含まれる場合、前記相手通信装置からの前記通話の着信又は前記データの着信を前記通信処理部に行わせる
ことを含むことを特徴とした通信接続方法。
【請求項９】
相手通信装置との通信処理を行う通信処理部と記憶部とを有する通信装置に、前記相手通信装置からの通話の着信又はデータの着信を行わせる通信接続プログラムであって、
前記記憶部から前記相手通信装置による通話の発信又はデータの発信を許可する位置の範囲を示す発信許可範囲情報を読み出し、
前記通信処理部を介して、前記相手通信装置が存在する位置を示す相手装置位置情報を受信し、
前記相手通信装置からの前記通話の着信又は前記データの着信を行う前に、前記相手装置位置情報に示される位置が前記発信許可範囲情報に示される範囲に含まれるか否かを判定し、当該位置が当該範囲に含まれる場合、前記相手通信装置からの前記通話の着信又は前記データの着信を前記通信処理部に行わせる、
ことを前記通信装置に実行させる命令を含むことを特徴とした通信接続プログラム。
【請求項１０】
第１の通信装置と、前記第１の通信装置からの通話の着信又はデータの着信を行う第２の通信装置と、を有する通信システムであって、
前記第１の通信装置は、前記第１の通信装置が存在する位置を示す発信装置位置情報を前記第２の通信装置へ送信し、
前記第２の通信装置は、
前記第１の通信装置との通信処理を行う通信処理部と、
前記第１の通信装置による通話の発信又はデータの発信を許可する位置の範囲を示す発信許可範囲情報を記憶する記憶部と、を有し、
前記通信処理部を介して前記発信装置位置情報を受信し、
前記第１の通信装置からの前記通話の着信又は前記データの着信を行う前に、前記発信装置位置情報に示される位置が前記発信許可範囲情報に示される範囲に含まれるか否かを判定し、当該位置が当該範囲に含まれる場合、前記第１の通信装置からの前記通話の着信又は前記データの着信を前記通信処理部に行わせることを特徴とした通信システム。
【請求項１１】
相手通信装置へ通話の発信又はデータの発信を行う通信装置であって、
前記相手通信装置との通信処理を行う通信処理部と、
前記通信処理部を介して、前記相手通信装置から、相手通信装置位置情報と前記相手通信装置が近距離無線装置との間で近距離無線にて取得した着信許可範囲情報とを受信する受信手段と、
前記相手通信装置へ前記通話の発信又は前記データの発信を行う前に、前記相手装置位置情報に示される位置が前記着信許可範囲情報に示される範囲に含まれるか否かを判定し、相手装置の位置が当該範囲に含まれる場合、前記相手通信装置への前記通話の発信又は前記データの発信を前記通信処理部に行わせる判定手段と、
を有することを特徴とした通信装置。
【請求項１２】
相手通信装置からの通話の着信又はデータの着信を行う通信装置であって、
前記相手通信装置との通信処理を行う通信処理部と、
前記通信処理部を介して、前記相手通信装置から、相手通信装置位置情報と前記相手通信装置が近距離無線装置との間で近距離無線にて取得した発信許可範囲情報とを受信する受信手段と、
前記相手通信装置からの前記通話の着信又は前記データの着信を行う前に、前記相手装置位置情報に示される位置が前記発信許可範囲情報に示される範囲に含まれるか否かを判定し、相手装置の位置が当該範囲に含まれる場合、前記相手通信装置からの前記通話の着信又は前記データの着信を前記通信処理部に行わせる判定手段と、を有することを特徴とした通信装置。
【請求項１３】
相手通信装置との通信処理を行う通信処理部を有し、前記相手通信装置へ通話の発信又はデータの発信を行う通信装置における通信接続方法であって、
前記通信処理部を介して、前記相手通信装置から、相手通信装置位置情報と前記相手通信装置が近距離無線装置との間で近距離無線により取得した着信許可範囲情報とを受信し、
前記相手通信装置へ前記通話の発信又は前記データの発信を行う前に、前記相手通信装置位置情報に示される位置が前記着信許可範囲情報に含まれるか否かを判定し、相手装置の位置が当該範囲に含まれる場合、前記相手通信装置への前記通話の発信又は前記データの発信を前記通信処理部に行わせる
ことを含むことを特徴とした通信接続方法。
【請求項１４】
相手通信装置との通信処理を行う通信処理部を有し、前記相手通信装置から通話の着信又はデータの着信を行う通信装置における通信接続方法であって、
前記通信処理部を介して、前記相手通信装置から、相手通信装置位置情報と前記相手通信装置が近距離無線装置との間で近距離無線により取得した発信許可範囲情報とを受信し、  前記相手通信装置から前記通話の着信又は前記データの着信を行う前に、前記相手通信装置位置情報に示される位置が前記発信許可範囲情報に含まれるか否かを判定し、相手装置の位置が当該範囲に含まれる場合、前記相手通信装置からの前記通話の着信又は前記データの着信を前記通信処理部に行わせる
ことを含むことを特徴とした通信接続方法。
【請求項１５】
相手通信装置との通信処理を行う通信処理部を有する通信装置に、前記相手通信装置へ通話の発信又はデータの発信を行わせる通信接続プログラムであって、
前記通信処理部を介して、前記相手通信装置から、相手通信装置位置情報と前記相手通信装置が近距離無線装置との間で近距離無線により取得した着信許可範囲情報とを受信し、
前記相手通信装置へ前記通話の発信又は前記データの発信を行う前に、前記相手通信装置位置情報に示される位置が前記着信許可範囲情報に含まれるか否かを判定し、相手装置の位置が当該範囲に含まれる場合、前記相手通信装置への前記通話の発信又は前記データの発信を前記通信処理部に行わせる、
ことを前記通信装置に実行させる命令を含むことを特徴とした通信接続プログラム。
【請求項１６】
相手通信装置との通信処理を行う通信処理部を有する通信装置に、前記相手通信装置から通話の着信又はデータの着信を行わせる通信接続プログラムであって、
前記通信処理部を介して、前記相手通信装置から、相手通信装置位置情報と前記相手通信装置が近距離無線装置との間で近距離無線により取得した発信許可範囲情報とを受信し、
前記相手通信装置から前記通話の着信又は前記データの着信を行う前に、前記相手通信装置位置情報に示される位置が前記発信許可範囲情報に含まれるか否かを判定し、相手装置の位置が当該範囲に含まれる場合、前記相手通信装置からの前記通話の着信又は前記データの着信を前記通信処理部に行わせる、
ことを前記通信装置に実行させる命令を含むことを特徴とした通信接続プログラム。
【請求項１７】
第２の通信装置へ通話の発信又はデータの発信を行う第１の通信装置と、前記第２の通信装置と、を有する通信システムであって、
前記第２の通信装置は、自己の位置情報と前記第２の通信装置が近距離無線装置から近距離無線により取得した着信許可範囲情報を前記第１の通信装置へ送信し、
前記第１の通信装置は、
前記第２の通信装置との通信処理を行う通信処理部を有し、
前記通信処理部を介して前記第２の通信装置の位置情報と前記着信許可範囲情報を受信し、
前記第２の通信装置へ前記通話の発信又は前記データの発信を行う前に、前記第２の通信装置の位置情報が前記着信許可範囲情報の範囲内にあるか否かを判定し、前記第２の通信装置が着信許可範囲情報の範囲内にあることを示す場合、前記第２の通信装置への前記通話の発信又は前記データの発信を前記通信処理部に行わせることを特徴とした通信システム。
【請求項１８】
第１の通信装置と、前記第１の通信装置からの通話の着信又はデータの着信を行う第２の通信装置と、を有する通信システムであって、
前記第１の通信装置は、自己の位置情報と前記第１の通信装置が近距離無線装置から近距離無線により取得した発信許可範囲情報を前記第２の通信装置へ送信し、
前記第２の通信装置は、
前記第１の通信装置との通信処理を行う通信処理部を有し、
前記通信処理部を介して前記第１の通信装置の位置情報と前記発信許可範囲情報を受信し、
前記第１の通信装置からの前記通話の着信又は前記データの着信を行う前に、前記第１の通信装置の位置情報が前記発信許可範囲情報の範囲内にあるか否かを判定し、前記第１の通信装置が発信許可範囲情報の範囲内にあることを示す場合、前記第１の通信装置からの前記通話の着信又は前記データの着信を前記通信処理部に行わせることを特徴とした通信システム。
【請求項１９】
相手通信装置へ通話の発信又はデータの発信を行う通信装置であって、
前記相手通信装置との通信処理を行う通信処理部と、
前記通信処理部を介して、前記相手通信装置から、前記相手通信装置が近距離無線装置と近距離無線により通信可能な状態であるか否かを示す通信状態情報を受信する通信状態受信手段と、
前記相手通信装置へ前記通話の発信又は前記データの発信を行う前に、前記通信状態情報が前記通信可能な状態であることを示すか否かを判定し、前記通信状態情報が前記通信可能な状態であることを示す場合、前記相手通信装置への前記通話の発信又は前記データの発信を前記通信処理部に行わせる判定手段と、
を有することを特徴とした通信装置。
【請求項２０】
相手通信装置からの通話の着信又はデータの着信を行う通信装置であって、
前記相手通信装置との通信処理を行う通信処理部と、
前記通信処理部を介して、前記相手通信装置から、前記相手通信装置が近距離無線装置と近距離無線により通信可能な状態であるか否かを示す通信状態情報を受信する通信状態受信手段と、
前記相手通信装置からの前記通話の着信又は前記データの着信を行う前に、前記通信状態情報が前記通信可能な状態であることを示すか否かを判定し、前記通信状態情報が前記通信可能な状態であることを示す場合、前記相手通信装置からの前記通話の着信又は前記データの着信を前記通信処理部に行わせる判定手段と、
を有することを特徴とした通信装置。
【請求項２１】
相手通信装置との通信処理を行う通信処理部を有し、前記相手通信装置へ通話の発信又はデータの発信を行う通信装置における通信接続方法であって、
前記通信処理部を介して、前記相手通信装置から、前記相手通信装置が近距離無線装置と近距離無線により通信可能な状態であるか否かを示す通信状態情報を受信し、
前記相手通信装置へ前記通話の発信又は前記データの発信を行う前に、前記通信状態情報が前記通信可能な状態であることを示すか否かを判定し、前記通信状態情報が前記通信可能な状態であることを示す場合、前記相手通信装置への前記通話の発信又は前記データの発信を前記通信処理部に行わせる、
ことを含むことを特徴とした通信接続方法。
【請求項２２】
相手通信装置との通信処理を行う通信処理部を有し、前記相手通信装置からの通話の着信又はデータの着信を行う通信装置における通信接続方法であって、
前記通信処理部を介して、前記相手通信装置から、前記相手通信装置が近距離無線装置と近距離無線により通信可能な状態であるか否かを示す通信状態情報を受信し、
前記相手通信装置からの前記通話の着信又は前記データの着信を行う前に、前記通信状態情報が前記通信可能な状態であることを示すか否かを判定し、前記通信状態情報が前記通信可能な状態であることを示す場合、前記相手通信装置からの前記通話の着信又は前記データの着信を前記通信処理部に行わせる、
ことを含むことを特徴とした通信接続方法。
【請求項２３】
相手通信装置との通信処理を行う通信処理部を有する通信装置に、前記相手通信装置へ通話の発信又はデータの発信を行わせる通信接続プログラムであって、
前記通信処理部を介して、前記相手通信装置から、前記相手通信装置が近距離無線装置と近距離無線により通信可能な状態であるか否かを示す通信状態情報を受信し、
前記相手通信装置へ前記通話の発信又は前記データの発信を行う前に、前記通信状態情報が前記通信可能な状態であることを示すか否かを判定し、前記通信状態情報が前記通信可能な状態であることを示す場合、前記相手通信装置への前記通話の発信又は前記データの発信を前記通信処理部に行わせる、
ことを前記通信装置に実行させる命令を含むことを特徴とした通信接続プログラム。
【請求項２４】
相手通信装置との通信処理を行う通信処理部を有する通信装置に、前記相手通信装置からの通話の着信又はデータの着信を行わせる通信接続プログラムであって、
前記通信処理部を介して、前記相手通信装置から、前記相手通信装置が近距離無線装置と近距離無線により通信可能な状態であるか否かを示す通信状態情報を受信し、
前記相手通信装置からの前記通話の着信又は前記データの着信を行う前に、前記通信状態情報が前記通信可能な状態であることを示すか否かを判定し、前記通信状態情報が前記通信可能な状態であることを示す場合、前記相手通信装置からの前記通話の着信又は前記データの着信を前記通信処理部に行わせる、
ことを前記通信装置に実行させる命令を含むことを特徴とした通信接続プログラム。
【請求項２５】
第２の通信装置へ通話の発信又はデータの発信を行う第１の通信装置と、前記第２の通信装置と、を有する通信システムであって、
前記第２の通信装置は、前記第２の通信装置が近距離無線装置と近距離無線により通信可能な状態であるか否かを示す通信状態情報を前記第１の通信装置へ送信し、
前記第１の通信装置は、
前記第２の通信装置との通信処理を行う通信処理部を有し、
前記通信処理部を介して前記通信状態情報を受信し、
前記第２の通信装置へ前記通話の発信又は前記データの発信を行う前に、前記通信状態情報が前記通信可能な状態であることを示すか否かを判定し、前記通信状態情報が前記通信可能な状態であることを示す場合、前記第２の通信装置への前記通話の発信又は前記データの発信を前記通信処理部に行わせることを特徴とした通信システム。
【請求項２６】
第１の通信装置と、前記第１の通信装置からの通話の着信又はデータの着信を行う第２の通信装置と、を有する通信システムであって、
前記第１の通信装置は、前記第１の通信装置が近距離無線装置と近距離無線により通信可能な状態であるか否かを示す通信状態情報を前記第２の通信装置へ送信し、
前記第２の通信装置は、
前記第１の通信装置との通信処理を行う通信処理部を有し、
前記通信処理部を介して前記通信状態情報を受信し、
前記第１の通信装置からの前記通話の着信又は前記データの着信を行う前に、前記通信状態情報が前記通信可能な状態であることを示すか否かを判定し、前記通信状態情報が前記通信可能な状態であることを示す場合、前記第１の通信装置からの前記通話の着信又は前記データの着信を前記通信処理部に行わせることを特徴とした通信システム。
【請求項２７】
第１の通信装置及び第２の通信装置との通信処理を行う通信処理部と記憶部とを有し、前記第１の通信装置が前記第２の通信装置へ通話の発信又はデータの発信を行う際に、前記通話の発信又は前記データの発信を許可するセンタ装置における通信接続方法であって、
前記通信処理部を介して、前記第２の通信装置が存在する位置を示す着信装置位置情報を受信し、
前記通信処理部を介して、前記第１の通信装置から、前記通話の発信又は前記データの発信の許可を要求する発信許可要求を受信し、
前記記憶部から前記第２の通信装置による通話の着信又はデータの着信を許可する位置の範囲を示す着信許可範囲情報を読み出し、
前記発信許可要求を受信すると、前記着信装置位置情報に示される位置が前記着信許可範囲情報に示される範囲に含まれるか否かを判定し、当該位置が当該範囲に含まれる場合、前記通話の発信又は前記データの発信の許可を示す判定結果を前記通信処理部を介して前記第１の通信装置へ送信する、
ことを含むことを特徴とした通信接続方法。
【請求項２８】
第１の通信装置及び第２の通信装置との通信処理を行う通信処理部と記憶部とを有するセンタ装置に、前記第１の通信装置が前記第２の通信装置へ通話の発信又はデータの発信を行う際に、前記通話の発信又は前記データの発信を許可させる通信接続プログラムであって、
前記通信処理部を介して、前記第２の通信装置が存在する位置を示す着信装置位置情報を受信し、
前記通信処理部を介して、前記第１の通信装置から、前記通話の発信又は前記データの発信の許可を要求する発信許可要求を受信し、
前記記憶部から前記第２の通信装置による通話の着信又はデータの着信を許可する位置の範囲を示す着信許可範囲情報を読み出し、
前記発信許可要求を受信すると、前記着信装置位置情報に示される位置が前記着信許可範囲情報に示される範囲に含まれるか否かを判定し、当該位置が当該範囲に含まれる場合、前記通話の発信又は前記データの発信の許可を示す判定結果を前記通信処理部を介して前記第１の通信装置へ送信する、
ことを前記センタ装置に実行させる命令を含むことを特徴とした通信接続プログラム。
【請求項２９】
第１の通信装置と、第２の通信装置と、前記第１の通信装置が前記第２の通信装置へ通話の発信又はデータの発信を行う際に、前記通話の発信又は前記データの発信を許可するセンタ装置と、を有する通信システムであって、
前記第２の通信装置は、前記第２の通信装置が存在する位置を示す着信装置位置情報を前記センタ装置に送信し、
前記第１の通信装置は、前記通話の発信又は前記データの発信の許可を要求する発信許可要求を前記センタ装置に送信し、
前記センタ装置は、
前記第１の通信装置及び前記第２の通信装置との通信処理を行う通信処理部と、
前記第２の通信装置による通話の着信又はデータの着信を許可する位置の範囲を示す着信許可範囲情報を記憶する記憶部と、を有し、
前記通信処理部を介して前記着信装置位置情報を受信し、
前記通信処理部を介して前記発信許可要求を受信すると、前記着信装置位置情報に示される位置が前記着信許可範囲情報に示される範囲に含まれるか否かを判定し、当該位置が当該範囲に含まれる場合、前記通話の発信又は前記データの発信の許可を示す判定結果を前記通信処理部を介して前記第１の通信装置へ送信することを特徴とした通信システム。
【請求項３０】
第１の通信装置及び第２の通信装置との通信処理を行う通信処理部と記憶部とを有し、前記第２の通信装置が前記第１の通信装置から通話の着信又はデータの着信を行う際に、前記通話の着信又は前記データの着信を許可するセンタ装置における通信接続方法であって、
前記通信処理部を介して、前記第１の通信装置が存在する位置を示す発信装置位置情報を受信し、
前記通信処理部を介して、前記第２の通信装置から、前記通話の着信又は前記データの着信の許可を要求する着信許可要求を受信し、
前記記憶部から前記第１の通信装置による通話の発信又はデータの発信を許可する位置の範囲を示す発信許可範囲情報を読み出し、
前記着信許可要求を受信すると、前記発信装置位置情報に示される位置が前記発信許可範囲情報に示される範囲に含まれるか否かを判定し、当該位置が当該範囲に含まれる場合、前記通話の着信又は前記データの着信の許可を示す判定結果を前記通信処理部を介して前記第２の通信装置へ送信する、
ことを含むことを特徴とした通信接続方法。
【請求項３１】
第１の通信装置及び第２の通信装置との通信処理を行う通信処理部と記憶部とを有するセンタ装置に、前記第２の通信装置が前記第１の通信装置から通話の着信又はデータの着信を行う際に、前記通話の着信又は前記データの着信を許可させる通信接続プログラムであって、
前記通信処理部を介して、前記第１の通信装置が存在する位置を示す発信装置位置情報を受信し、
前記通信処理部を介して、前記第２の通信装置から、前記通話の着信又は前記データの着信の許可を要求する着信許可要求を受信し、
前記記憶部から前記第１の通信装置による通話の発信又はデータの発信を許可する位置の範囲を示す発信許可範囲情報を読み出し、
前記着信許可要求を受信すると、前記発信装置位置情報に示される位置が前記発信許可範囲情報に示される範囲に含まれるか否かを判定し、当該位置が当該範囲に含まれる場合、前記通話の着信又は前記データの着信の許可を示す判定結果を前記通信処理部を介して前記第２の通信装置へ送信する、
ことを前記センタ装置に実行させる命令を含むことを特徴とした通信接続プログラム。
【請求項３２】
第１の通信装置と、第２の通信装置と、前記第２の通信装置が前記第１の通信装置から通話の着信又はデータの着信を行う際に、前記通話の着信又は前記データの着信を許可するセンタ装置と、を有する通信システムであって、
前記第１の通信装置は、前記第１の通信装置が存在する位置を示す発信装置位置情報を前記センタ装置に送信し、
前記第２の通信装置は、前記通話の着信又は前記データの着信の許可を要求する着信許可要求を前記センタ装置に送信し、
前記センタ装置は、
前記第１の通信装置及び前記第２の通信装置との通信処理を行う通信処理部と、
前記第１の通信装置による通話の発信又はデータの発信を許可する位置の範囲を示す発信許可範囲情報を記憶する記憶部と、を有し、
前記通信処理部を介して前記発信装置位置情報を受信し、
前記通信処理部を介して前記着信許可要求を受信すると、前記発信装置位置情報に示される位置が前記発信許可範囲情報に示される範囲に含まれるか否かを判定し、当該位置が当該範囲に含まれる場合、前記通話の着信又は前記データの着信の許可を示す判定結果を前記通信処理部を介して前記第２の通信装置へ送信することを特徴とした通信システム。
【請求項３３】
第１の通信装置及び第２の通信装置との通信処理を行う通信処理部と記憶部とを有し、前記第１の通信装置が前記第２の通信装置へ通話の発信又はデータの発信を行う際に、前記第１の通信装置を前記第２の通信装置に接続する処理を行うセンタ装置における通信接続方法であって、
前記通信処理部を介して、前記第２の通信装置が存在する位置を示す着信装置位置情報を受信し、
前記通信処理部を介して、前記第１の通信装置から前記第２の通信装置への接続を要求する接続要求を前記第１の通信装置から受信し、
前記記憶部から前記第２の通信装置による通話の着信又はデータの着信を許可する位置の範囲を示す着信許可範囲情報を読み出し、
前記接続要求を受信すると、前記着信装置位置情報に示される位置が前記着信許可範囲情報に示される範囲に含まれるか否かを判定し、当該位置が当該範囲に含まれる場合、前記第１の通信装置を前記第２の通信装置に接続する処理を前記通信処理部に行わせる、
ことを含むことを特徴とした通信接続方法。
【請求項３４】
第１の通信装置及び第２の通信装置との通信処理を行う通信処理部と記憶部とを有するセンタ装置に、前記第１の通信装置が前記第２の通信装置へ通話の発信又はデータの発信を行う際に、前記第１の通信装置を前記第２の通信装置に接続する処理を行わせる通信接続プログラムであって、
前記通信処理部を介して、前記第２の通信装置が存在する位置を示す着信装置位置情報を受信し、
前記通信処理部を介して、前記第１の通信装置から前記第２の通信装置への接続を要求する接続要求を前記第１の通信装置から受信し、
前記記憶部から前記第２の通信装置による通話の着信又はデータの着信を許可する位置の範囲を示す着信許可範囲情報を読み出し、
前記接続要求を受信すると、前記着信装置位置情報に示される位置が前記着信許可範囲情報に示される範囲に含まれるか否かを判定し、当該位置が当該範囲に含まれる場合、前記第１の通信装置を前記第２の通信装置に接続する処理を前記通信処理部に行わせる、
ことを前記センタ装置に実行させる命令を含むことを特徴とした通信接続プログラム。
【請求項３５】
第１の通信装置と、第２の通信装置と、前記第１の通信装置が前記第２の通信装置へ通話の発信又はデータの発信を行う際に、前記第１の通信装置を前記第２の通信装置に接続する処理を行うセンタ装置と、を有する通信システムであって、
前記第２の通信装置は、前記第２の通信装置が存在する位置を示す着信装置位置情報を前記センタ装置に送信し、
前記第１の通信装置は、前記第１の通信装置から前記第２の通信装置への接続を要求する接続要求を前記センタ装置に送信し、
前記センタ装置は、
前記第１の通信装置及び前記第２の通信装置との通信処理を行う通信処理部と、
前記第２の通信装置による通話の着信又はデータの着信を許可する位置の範囲を示す着信許可範囲情報を記憶する記憶部と、を有し、
前記通信処理部を介して前記着信装置位置情報を受信し、
前記通信処理部を介して前記接続要求を受信すると、前記着信装置位置情報に示される位置が前記着信許可範囲情報に示される範囲に含まれるか否かを判定し、当該位置が当該範囲に含まれる場合、前記第１の通信装置を前記第２の通信装置に接続する処理を前記通信処理部に行わせることを特徴とした通信システム。
【請求項３６】
第１の通信装置及び第２の通信装置との通信処理を行う通信処理部と記憶部とを有し、前記第２の通信装置が前記第１の通信装置から通話の着信又はデータの着信を行う際に、前記第２の通信装置を前記第１の通信装置に接続する処理を行うセンタ装置における通信接続方法であって、
前記通信処理部を介して、前記第１の通信装置が存在する位置を示す発信装置位置情報を受信し、
前記通信処理部を介して、前記第１の通信装置から前記第２の通信装置への接続を要求する接続要求を前記第１の通信装置から受信し、
前記記憶部から前記第１の通信装置による通話の発信又はデータの発信を許可する位置の範囲を示す発信許可範囲情報を読み出し、
前記接続要求を受信すると、前記発信装置位置情報に示される位置が前記発信許可範囲情報に示される範囲に含まれるか否かを判定し、当該位置が当該範囲に含まれる場合、前記第２の通信装置を前記第１の通信装置に接続する処理を前記通信処理部に行わせる
ことを含むことを特徴とした通信接続方法。
【請求項３７】
第１の通信装置及び第２の通信装置との通信処理を行う通信処理部と記憶部とを有するセンタ装置に、前記第２の通信装置が前記第１の通信装置から通話の着信又はデータの着信を行う際に、前記第２の通信装置を前記第１の通信装置に接続する処理を行わせる通信接続プログラムであって、
前記通信処理部を介して、前記第１の通信装置が存在する位置を示す発信装置位置情報を受信し、
前記通信処理部を介して、前記第１の通信装置から前記第２の通信装置への接続を要求する接続要求を前記第１の通信装置から受信し、
前記記憶部から前記第１の通信装置による通話の発信又はデータの発信を許可する位置の範囲を示す発信許可範囲情報を読み出し、
前記接続要求を受信すると、前記発信装置位置情報に示される位置が前記発信許可範囲情報に示される範囲に含まれるか否かを判定し、当該位置が当該範囲に含まれる場合、前記第２の通信装置を前記第１の通信装置に接続する処理を前記通信処理部に行わせる、
ことを前記センタ装置に実行させる命令を含むことを特徴とした通信接続プログラム。
【請求項３８】
第１の通信装置と、第２の通信装置と、前記第２の通信装置が前記第１の通信装置から通話の着信又はデータの着信を行う際に、前記第２の通信装置を前記第１の通信装置に接続する処理を行うセンタ装置と、を有する通信システムであって、
前記第１の通信装置は、前記第１の通信装置が存在する位置を示す発信装置位置情報を前記センタ装置に送信し、前記第１の通信装置から前記第２の通信装置への接続を要求する接続要求を前記センタ装置に送信し、
前記センタ装置は、
前記第１の通信装置及び前記第２の通信装置との通信処理を行う通信処理部と、
前記第１の通信装置による通話の発信又はデータの発信を許可する位置の範囲を示す発信許可範囲情報を記憶する記憶部と、を有し、
前記通信処理部を介して前記発信装置位置情報を受信し、
前記通信処理部を介して前記接続要求を受信すると、前記発信装置位置情報に示される位置が前記発信許可範囲情報に示される範囲に含まれるか否かを判定し、当該位置が当該範囲に含まれる場合、前記第２の通信装置を前記第１の通信装置に接続する処理を前記通信処理部に行わせることを特徴とした通信システム。
【発明の詳細な説明】
【技術分野】
【０００１】
本発明は、無線ネットワークを介して接続する通信装置、通信装置の通信接続を管理するセンタ装置、通信システム、通信接続方法及び通信接続プログラムに関する。
【背景技術】
【０００２】
従来、オフィスビル、マンション、戸建住宅などの建物において、建物の安全状況を監視する警備システムが利用されている。このような警備システムにおいて、現場の警備員は、業務用の携帯電話を用いて、監視センタと連絡を取り合ったり、警備員同士で連絡を取り合って、情報を交換する。しかしながら、このような警備システムでは、警備員により、業務用の携帯電話が私的に利用されて緊急時に利用できなかったり、悪意を持って外部への情報漏洩に用いられたり、不注意により雑踏で利用されて雑踏にいる第三者へ情報が漏洩する危険性がある。
【０００３】
特許文献１には、あらかじめ登録している発信者番号をグループ分けし、ユーザの使用状況に応じて受信を許可すべきグループを設定、変更する携帯電話装置が開示されている。この携帯電話装置は、受信を許可するグループを時間帯別に設定し、時間帯に応じて発信者番号のグループに対する受信動作の許可及び拒否を行う。
【０００４】
また、特許文献２には、ユーザが携帯端末装置を利用している場所に応じて、電話帳の表示可否を切り替える携帯端末装置が開示されている。
【先行技術文献】
【特許文献】
【０００５】
【特許文献１】特開２０００−２９５６６１号公報
【特許文献２】特開２００８−２２７９０７号公報
【発明の概要】
【発明が解決しようとする課題】
【０００６】
特許文献１に開示された携帯電話装置は、その携帯電話装置のユーザの使用状況に応じて受信動作の許可及び拒否を行うことができる。しかし、相手側の携帯電話装置のユーザの使用状況は認識していないため、相手側の携帯電話装置が不適切な場所で使用されている場合でも受信動作又は送信動作を行ってしまう可能性がある。
【０００７】
また、特許文献２に開示された携帯端末装置は、その携帯端末装置のユーザが携帯端末装置を利用している場所に応じて電話帳の表示を制限できるので、発信動作を抑制することができる。しかし、特許文献１に開示された携帯電話装置と同様に、相手側の携帯端末装置のユーザの位置は認識していないため、相手側の携帯端末装置が不適切な場所で使用されている場合でも発信動作又は受信動作を行ってしまう可能性がある。
【０００８】
本発明の目的は、無線ネットワークを介して通信する通信装置が不適切な場所で利用されることを制限することができる通信装置、センタ装置、通信システム、通信接続方法及び通信接続プログラムを提供することにある。
【課題を解決するための手段】
【０００９】
かかる課題を解決するための本発明は、相手通信装置へ通話の発信又はデータの発信を行う通信装置を提供する。係る通信装置は、相手通信装置との通信処理を行う通信処理部と、相手通信装置による通話の着信又はデータの着信を許可する位置の範囲を示す着信許可範囲情報を記憶する記憶部と、通信処理部を介して、相手通信装置が存在する位置を示す相手装置位置情報を受信する相手装置位置受信手段と、相手通信装置へ通話の発信又はデータの発信を行う前に、相手装置位置情報に示される位置が着信許可範囲情報に示される範囲に含まれるか否かを判定し、当該位置が当該範囲に含まれる場合、相手通信装置への通話の発信又はデータの発信を通信処理部に行わせる判定手段と、を有する。
【００１０】
また、本発明に係る通信装置において、通信装置が存在する位置を測定し、当該位置を示す自装置位置情報を生成する位置測定部をさらに有し、記憶部は、通信装置による通話の発信又はデータの発信を許可する位置の範囲を示す発信許可範囲情報をさらに記憶し、判定手段は、自装置位置情報に示される位置が発信許可範囲情報に示される範囲に含まれるか否かをさらに判定し、当該位置が当該範囲に含まれる場合、相手通信装置への通話の発信又はデータの発信を通信処理部に行わせることが好ましい。
【００１１】
また、本発明に係る通信装置において、記憶部は、相手通信装置が複数登録されている場合、着信許可範囲情報を、登録されている複数の相手通信装置のそれぞれごとに記憶することが好ましい。
【００１２】
かかる課題を解決するための本発明の他の形態によれば、通信装置との通信処理を行う通信処理部と記憶部とを有し、相手通信装置へ通話の発信又はデータの発信を行う通信装置における通信接続方法が提供される。係る通信接続方法は、記憶部から相手通信装置による通話の着信又はデータの着信を許可する位置の範囲を示す着信許可範囲情報を読み出し、通信処理部を介して、相手通信装置が存在する位置を示す相手装置位置情報を受信し、相手通信装置へ通話の発信又はデータの発信を行う前に、相手装置位置情報に示される位置が着信許可範囲情報に示される範囲に含まれるか否かを判定し、当該位置が当該範囲に含まれる場合、相手通信装置への通話の発信又はデータの発信を通信処理部に行わせることを含む。
【００１３】
かかる課題を解決するための本発明の他の形態によれば、相手通信装置との通信処理を行う通信処理部と記憶部とを有する通信装置に、相手通信装置へ通話の発信又はデータの発信を行わせる通信接続プログラムが提供される。係る通信接続プログラムは、記憶部から相手通信装置による通話の着信又はデータの着信を許可する位置の範囲を示す着信許可範囲情報を読み出し、通信処理部を介して、相手通信装置が存在する位置を示す相手装置位置情報を受信し、相手通信装置へ通話の発信又はデータの発信を行う前に、相手装置位置情報に示される位置が着信許可範囲情報に示される範囲に含まれるか否かを判定し、当該位置が当該範囲に含まれる場合、相手通信装置への通話の発信又はデータの発信を通信処理部に行わせる、ことを通信装置に実行させる命令を含む。
【００１４】
かかる課題を解決するための本発明の他の形態によれば、第２の通信装置へ通話の発信又はデータの発信を行う第１の通信装置と、第２の通信装置と、を有する通信システムが提供される。係る通信システムにおいて、第２の通信装置は、第２の通信装置が存在する位置を示す着信装置位置情報を第１の通信装置へ送信し、第１の通信装置は、第２の通信装置との通信処理を行う通信処理部と、第２の通信装置による通話の着信又はデータの着信を許可する位置の範囲を示す着信許可範囲情報を記憶する記憶部と、を有し、通信処理部を介して着信装置位置情報を受信し、第２の通信装置へ通話の発信又はデータの発信を行う前に、着信装置位置情報に示される位置が着信許可範囲情報に示される範囲に含まれるか否かを判定し、当該位置が当該範囲に含まれる場合、第２の通信装置への通話の発信又はデータの発信を通信処理部に行わせる。
【００１５】
かかる課題を解決するための本発明の他の形態によれば、相手通信装置からの通話の着信又はデータの着信を行う通信装置が提供される。係る通信装置は、相手通信装置との通信処理を行う通信処理部と、相手通信装置による通話の発信又はデータの発信を許可する位置の範囲を示す発信許可範囲情報を記憶する記憶部と、通信処理部を介して、相手通信装置が存在する位置を示す相手装置位置情報を受信する相手装置位置受信手段と、相手通信装置からの通話の着信又はデータの着信を行う前に、相手装置位置情報に示される位置が発信許可範囲情報に示される範囲に含まれるか否かを判定し、当該位置が当該範囲に含まれる場合、相手通信装置からの通話の着信又はデータの着信を通信処理部に行わせる判定手段と、を有する。
【００１６】
かかる課題を解決するための本発明の他の形態によれば、相手通信装置との通信処理を行う通信処理部と記憶部とを有し、相手通信装置からの通話の着信又はデータの着信を行う通信装置における通信接続方法が提供される。係る通信接続方法は、記憶部から相手通信装置による通話の発信又はデータの発信を許可する位置の範囲を示す発信許可範囲情報を読み出し、通信処理部を介して、相手通信装置が存在する位置を示す相手装置位置情報を受信し、相手通信装置からの通話の着信又はデータの着信を行う前に、相手装置位置情報に示される位置が発信許可範囲情報に示される範囲に含まれるか否かを判定し、当該位置が当該範囲に含まれる場合、相手通信装置からの通話の着信又はデータの着信を通信処理部に行わせることを含む。
【００１７】
かかる課題を解決するための本発明の他の形態によれば、相手通信装置との通信処理を行う通信処理部と記憶部とを有する通信装置に、相手通信装置からの通話の着信又はデータの着信を行わせる通信接続プログラムが提供される。係る通信接続プログラムは、記憶部から相手通信装置による通話の発信又はデータの発信を許可する位置の範囲を示す発信許可範囲情報を読み出し、通信処理部を介して、相手通信装置が存在する位置を示す相手装置位置情報を受信し、相手通信装置からの通話の着信又はデータの着信を行う前に、相手装置位置情報に示される位置が発信許可範囲情報に示される範囲に含まれるか否かを判定し、当該位置が当該範囲に含まれる場合、相手通信装置からの通話の着信又はデータの着信を通信処理部に行わせる、ことを通信装置に実行させる命令を含む。
【００１８】
かかる課題を解決するための本発明の他の形態によれば、第１の通信装置と、第１の通信装置からの通話の着信又はデータの着信を行う第２の通信装置と、を有する通信システムが提供される。係る通信システムにおいて、第１の通信装置は、第１の通信装置が存在する位置を示す発信装置位置情報を第２の通信装置へ送信し、第２の通信装置は、第１の通信装置との通信処理を行う通信処理部と、第１の通信装置による通話の発信又はデータの発信を許可する位置の範囲を示す発信許可範囲情報を記憶する記憶部と、を有し、通信処理部を介して発信装置位置情報を受信し、第１の通信装置からの通話の着信又はデータの着信を行う前に、発信装置位置情報に示される位置が発信許可範囲情報に示される範囲に含まれるか否かを判定し、当該位置が当該範囲に含まれる場合、第１の通信装置からの通話の着信又はデータの着信を通信処理部に行わせる。
【００１９】
かかる課題を解決するための本発明の他の形態によれば、相手通信装置へ通話の発信又はデータの発信を行う通信装置が提供される。係る通信装置は、相手通信装置との通信処理を行う通信処理部と、通信処理部を介して、相手通信装置から、相手通信装置位置情報と相手通信装置が近距離無線装置との間で近距離無線にて取得した着信許可範囲情報とを受信する受信手段と、相手通信装置へ通話の発信又はデータの発信を行う前に、相手装置位置情報に示される位置が着信許可範囲情報に示される範囲に含まれるか否かを判定し、相手装置の位置が当該範囲に含まれる場合、相手通信装置への通話の発信又はデータの発信を通信処理部に行わせる判定手段と、を有する。
【００２０】
かかる課題を解決するための本発明の他の形態によれば、相手通信装置からの通話の着信又はデータの着信を行う通信装置が提供される。係る通信装置は、相手通信装置との通信処理を行う通信処理部と、通信処理部を介して、相手通信装置から、相手通信装置位置情報と相手通信装置が近距離無線装置との間で近距離無線にて取得した発信許可範囲情報とを受信する受信手段と、相手通信装置からの通話の着信又はデータの着信を行う前に、相手装置位置情報に示される位置が発信許可範囲情報に示される範囲に含まれるか否かを判定し、相手装置の位置が当該範囲に含まれる場合、相手通信装置からの通話の着信又はデータの着信を通信処理部に行わせる判定手段と、を有する。
【００２１】
かかる課題を解決するための本発明の他の形態によれば、相手通信装置との通信処理を行う通信処理部を有し、相手通信装置へ通話の発信又はデータの発信を行う通信装置における通信接続方法が提供される。係る通信接続方法は、通信処理部を介して、相手通信装置から、相手通信装置位置情報と相手通信装置が近距離無線装置との間で近距離無線により取得した着信許可範囲情報とを受信し、相手通信装置へ通話の発信又はデータの発信を行う前に、相手通信装置位置情報に示される位置が着信許可範囲情報に含まれるか否かを判定し、相手装置の位置が当該範囲に含まれる場合、相手通信装置への通話の発信又はデータの発信を通信処理部に行わせることを含む。
【００２２】
かかる課題を解決するための本発明の他の形態によれば、相手通信装置との通信処理を行う通信処理部を有し、相手通信装置から通話の着信又はデータの着信を行う通信装置における通信接続方法が提供される。係る通信接続方法は、通信処理部を介して、相手通信装置から、相手通信装置位置情報と相手通信装置が近距離無線装置との間で近距離無線により取得した発信許可範囲情報とを受信し、相手通信装置から通話の着信又はデータの着信を行う前に、相手通信装置位置情報に示される位置が発信許可範囲情報に含まれるか否かを判定し、相手装置の位置が当該範囲に含まれる場合、相手通信装置からの通話の着信又はデータの着信を通信処理部に行わせることを含む。
【００２３】
かかる課題を解決するための本発明の他の形態によれば、相手通信装置との通信処理を行う通信処理部を有する通信装置に、相手通信装置へ通話の発信又はデータの発信を行わせる通信接続プログラムが提供される。係る通信接続プログラムは、通信処理部を介して、相手通信装置から、相手通信装置位置情報と相手通信装置が近距離無線装置との間で近距離無線により取得した着信許可範囲情報とを受信し、相手通信装置へ通話の発信又はデータの発信を行う前に、相手通信装置位置情報に示される位置が着信許可範囲情報に含まれるか否かを判定し、相手装置の位置が当該範囲に含まれる場合、相手通信装置への通話の発信又はデータの発信を通信処理部に行わせる、ことを通信装置に実行させる命令を含む。
【００２４】
かかる課題を解決するための本発明の他の形態によれば、相手通信装置との通信処理を行う通信処理部を有する通信装置に、相手通信装置から通話の着信又はデータの着信を行わせる通信接続プログラムが提供される。係る通信接続プログラムは、通信処理部を介して、相手通信装置から、相手通信装置位置情報と相手通信装置が近距離無線装置との間で近距離無線により取得した発信許可範囲情報とを受信し、相手通信装置から通話の着信又はデータの着信を行う前に、相手通信装置位置情報に示される位置が発信許可範囲情報に含まれるか否かを判定し、相手装置の位置が当該範囲に含まれる場合、相手通信装置からの通話の着信又はデータの着信を通信処理部に行わせる、ことを通信装置に実行させる命令を含む。
【００２５】
かかる課題を解決するための本発明の他の形態によれば、第２の通信装置へ通話の発信又はデータの発信を行う第１の通信装置と、第２の通信装置と、を有する通信システムが提供される。係る通信システムにおいて、第２の通信装置は、自己の位置情報と第２の通信装置が近距離無線装置から近距離無線により取得した着信許可範囲情報を第１の通信装置へ送信し、第１の通信装置は、第２の通信装置との通信処理を行う通信処理部を有し、通信処理部を介して第２の通信装置の位置情報と着信許可範囲情報を受信し、第２の通信装置へ通話の発信又はデータの発信を行う前に、第２の通信装置の位置情報が着信許可範囲情報の範囲内にあるか否かを判定し、第２の通信装置が着信許可範囲情報の範囲内にあることを示す場合、第２の通信装置への通話の発信又はデータの発信を通信処理部に行わせる。
【００２６】
かかる課題を解決するための本発明の他の形態によれば、第１の通信装置と、第１の通信装置からの通話の着信又はデータの着信を行う第２の通信装置と、を有する通信システムが提供される。係る通信システムにおいて、第１の通信装置は、自己の位置情報と第１の通信装置が近距離無線装置から近距離無線により取得した発信許可範囲情報を第２の通信装置へ送信し、第２の通信装置は、第１の通信装置との通信処理を行う通信処理部を有し、通信処理部を介して第１の通信装置の位置情報と発信許可範囲情報を受信し、第１の通信装置からの通話の着信又はデータの着信を行う前に、第１の通信装置の位置情報が発信許可範囲情報の範囲内にあるか否かを判定し、第１の通信装置が発信許可範囲情報の範囲内にあることを示す場合、第１の通信装置からの通話の着信又はデータの着信を通信処理部に行わせる。
【００２７】
かかる課題を解決するための本発明の他の形態によれば、相手通信装置へ通話の発信又はデータの発信を行う通信装置が提供される。係る通信装置は、相手通信装置との通信処理を行う通信処理部と、通信処理部を介して、相手通信装置から、相手通信装置が近距離無線装置と近距離無線により通信可能な状態であるか否かを示す通信状態情報を受信する通信状態受信手段と、相手通信装置へ通話の発信又はデータの発信を行う前に、通信状態情報が通信可能な状態であることを示すか否かを判定し、通信状態情報が通信可能な状態であることを示す場合、相手通信装置への通話の発信又はデータの発信を通信処理部に行わせる判定手段と、を有する。
【００２８】
かかる課題を解決するための本発明の他の形態によれば、相手通信装置からの通話の着信又はデータの着信を行う通信装置が提供される。係る通信装置は、相手通信装置との通信処理を行う通信処理部と、通信処理部を介して、相手通信装置から、相手通信装置が近距離無線装置と近距離無線により通信可能な状態であるか否かを示す通信状態情報を受信する通信状態受信手段と、相手通信装置からの通話の着信又はデータの着信を行う前に、通信状態情報が通信可能な状態であることを示すか否かを判定し、通信状態情報が通信可能な状態であることを示す場合、相手通信装置からの通話の着信又はデータの着信を通信処理部に行わせる判定手段と、を有する。
【００２９】
かかる課題を解決するための本発明の他の形態によれば、相手通信装置との通信処理を行う通信処理部を有し、相手通信装置へ通話の発信又はデータの発信を行う通信装置における通信接続方法が提供される。係る通信接続方法は、通信処理部を介して、相手通信装置から、相手通信装置が近距離無線装置と近距離無線により通信可能な状態であるか否かを示す通信状態情報を受信し、相手通信装置へ通話の発信又はデータの発信を行う前に、通信状態情報が通信可能な状態であることを示すか否かを判定し、通信状態情報が通信可能な状態であることを示す場合、相手通信装置への通話の発信又はデータの発信を通信処理部に行わせることを含む。
【００３０】
かかる課題を解決するための本発明の他の形態によれば、相手通信装置との通信処理を行う通信処理部を有し、相手通信装置からの通話の着信又はデータの着信を行う通信装置における通信接続方法が提供される。係る通信接続方法は、通信処理部を介して、相手通信装置から、相手通信装置が近距離無線装置と近距離無線により通信可能な状態であるか否かを示す通信状態情報を受信し、相手通信装置からの通話の着信又はデータの着信を行う前に、通信状態情報が通信可能な状態であることを示すか否かを判定し、通信状態情報が通信可能な状態であることを示す場合、相手通信装置からの通話の着信又はデータの着信を通信処理部に行わせることを含む。
【００３１】
かかる課題を解決するための本発明の他の形態によれば、相手通信装置との通信処理を行う通信処理部を有する通信装置に、相手通信装置へ通話の発信又はデータの発信を行わせる通信接続プログラムが提供される。係る通信接続プログラムは、通信処理部を介して、相手通信装置から、相手通信装置が近距離無線装置と近距離無線により通信可能な状態であるか否かを示す通信状態情報を受信し、相手通信装置へ通話の発信又はデータの発信を行う前に、通信状態情報が通信可能な状態であることを示すか否かを判定し、通信状態情報が通信可能な状態であることを示す場合、相手通信装置への通話の発信又はデータの発信を通信処理部に行わせる、ことを通信装置に実行させる命令を含む。
【００３２】
かかる課題を解決するための本発明の他の形態によれば、相手通信装置との通信処理を行う通信処理部を有する通信装置に、相手通信装置からの通話の着信又はデータの着信を行わせる通信接続プログラムが提供される。係る通信接続プログラムは、通信処理部を介して、相手通信装置から、相手通信装置が近距離無線装置と近距離無線により通信可能な状態であるか否かを示す通信状態情報を受信し、相手通信装置からの通話の着信又はデータの着信を行う前に、通信状態情報が通信可能な状態であることを示すか否かを判定し、通信状態情報が通信可能な状態であることを示す場合、相手通信装置からの通話の着信又はデータの着信を通信処理部に行わせる、ことを通信装置に実行させる命令を含む。
【００３３】
かかる課題を解決するための本発明の他の形態によれば、第２の通信装置へ通話の発信又はデータの発信を行う第１の通信装置と、第２の通信装置と、を有する通信システムが提供される。係る通信システムにおいて、第２の通信装置は、第２の通信装置が近距離無線装置と近距離無線により通信可能な状態であるか否かを示す通信状態情報を第１の通信装置へ送信し、第１の通信装置は、第２の通信装置との通信処理を行う通信処理部を有し、通信処理部を介して通信状態情報を受信し、第２の通信装置へ通話の発信又はデータの発信を行う前に、通信状態情報が通信可能な状態であることを示すか否かを判定し、通信状態情報が通信可能な状態であることを示す場合、第２の通信装置への通話の発信又はデータの発信を通信処理部に行わせる。
【００３４】
かかる課題を解決するための本発明の他の形態によれば、第１の通信装置と、第１の通信装置からの通話の着信又はデータの着信を行う第２の通信装置と、を有する通信システムが提供される。係る通信システムにおいて、第１の通信装置は、第１の通信装置が近距離無線装置と近距離無線により通信可能な状態であるか否かを示す通信状態情報を第２の通信装置へ送信し、第２の通信装置は、第１の通信装置との通信処理を行う通信処理部を有し、通信処理部を介して通信状態情報を受信し、第１の通信装置からの通話の着信又はデータの着信を行う前に、通信状態情報が通信可能な状態であることを示すか否かを判定し、通信状態情報が通信可能な状態であることを示す場合、第１の通信装置からの通話の着信又はデータの着信を通信処理部に行わせる。
【００３５】
かかる課題を解決するための本発明の他の形態によれば、第１の通信装置及び第２の通信装置との通信処理を行う通信処理部と記憶部とを有し、第１の通信装置が第２の通信装置へ通話の発信又はデータの発信を行う際に、通話の発信又はデータの発信を許可するセンタ装置における通信接続方法が提供される。係る通信接続方法は、通信処理部を介して、第２の通信装置が存在する位置を示す着信装置位置情報を受信し、通信処理部を介して、第１の通信装置から、通話の発信又はデータの発信の許可を要求する発信許可要求を受信し、記憶部から第２の通信装置による通話の着信又はデータの着信を許可する位置の範囲を示す着信許可範囲情報を読み出し、発信許可要求を受信すると、着信装置位置情報に示される位置が着信許可範囲情報に示される範囲に含まれるか否かを判定し、当該位置が当該範囲に含まれる場合、通話の発信又はデータの発信の許可を示す判定結果を通信処理部を介して第１の通信装置へ送信することを含む。
【００３６】
かかる課題を解決するための本発明の他の形態によれば第１の通信装置及び第２の通信装置との通信処理を行う通信処理部と記憶部とを有するセンタ装置に、第１の通信装置が第２の通信装置へ通話の発信又はデータの発信を行う際に、通話の発信又はデータの発信を許可させる通信接続プログラムが提供される。係る通信接続プログラムは、通信処理部を介して、第２の通信装置が存在する位置を示す着信装置位置情報を受信し、通信処理部を介して、第１の通信装置から、通話の発信又はデータの発信の許可を要求する発信許可要求を受信し、記憶部から第２の通信装置による通話の着信又はデータの着信を許可する位置の範囲を示す着信許可範囲情報を読み出し、発信許可要求を受信すると、着信装置位置情報に示される位置が着信許可範囲情報に示される範囲に含まれるか否かを判定し、当該位置が当該範囲に含まれる場合、通話の発信又はデータの発信の許可を示す判定結果を通信処理部を介して第１の通信装置へ送信する、ことをセンタ装置に実行させる命令を含む。
【００３７】
かかる課題を解決するための本発明の他の形態によれば、第１の通信装置と、第２の通信装置と、第１の通信装置が第２の通信装置へ通話の発信又はデータの発信を行う際に、通話の発信又はデータの発信を許可するセンタ装置と、を有する通信システムが提供される。係る通信システムにおいて、第２の通信装置は、第２の通信装置が存在する位置を示す着信装置位置情報をセンタ装置に送信し、第１の通信装置は、通話の発信又はデータの発信の許可を要求する発信許可要求をセンタ装置に送信し、センタ装置は、第１の通信装置及び第２の通信装置との通信処理を行う通信処理部と、第２の通信装置による通話の着信又はデータの着信を許可する位置の範囲を示す着信許可範囲情報を記憶する記憶部と、を有し、通信処理部を介して着信装置位置情報を受信し、通信処理部を介して発信許可要求を受信すると、着信装置位置情報に示される位置が着信許可範囲情報に示される範囲に含まれるか否かを判定し、当該位置が当該範囲に含まれる場合、通話の発信又はデータの発信の許可を示す判定結果を通信処理部を介して第１の通信装置へ送信する。
【００３８】
かかる課題を解決するための本発明の他の形態によれば、第１の通信装置及び第２の通信装置との通信処理を行う通信処理部と記憶部とを有し、第２の通信装置が第１の通信装置から通話の着信又はデータの着信を行う際に、通話の着信又はデータの着信を許可するセンタ装置における通信接続方法が提供される。係る通信接続方法は、通信処理部を介して、第１の通信装置が存在する位置を示す発信装置位置情報を受信し、通信処理部を介して、第２の通信装置から、通話の着信又はデータの着信の許可を要求する着信許可要求を受信し、記憶部から第１の通信装置による通話の発信又はデータの発信を許可する位置の範囲を示す発信許可範囲情報を読み出し、着信許可要求を受信すると、発信装置位置情報に示される位置が発信許可範囲情報に示される範囲に含まれるか否かを判定し、当該位置が当該範囲に含まれる場合、通話の着信又はデータの着信の許可を示す判定結果を通信処理部を介して第２の通信装置へ送信することを含む。
【００３９】
かかる課題を解決するための本発明の他の形態によれば、第１の通信装置及び第２の通信装置との通信処理を行う通信処理部と記憶部とを有するセンタ装置に、第２の通信装置が第１の通信装置から通話の着信又はデータの着信を行う際に、通話の着信又はデータの着信を許可させる通信接続プログラムが提供される。係る通信接続プログラムは、通信処理部を介して、第１の通信装置が存在する位置を示す発信装置位置情報を受信し、通信処理部を介して、第２の通信装置から、通話の着信又はデータの着信の許可を要求する着信許可要求を受信し、記憶部から第１の通信装置による通話の発信又はデータの発信を許可する位置の範囲を示す発信許可範囲情報を読み出し、着信許可要求を受信すると、発信装置位置情報に示される位置が発信許可範囲情報に示される範囲に含まれるか否かを判定し、当該位置が当該範囲に含まれる場合、通話の着信又はデータの着信の許可を示す判定結果を通信処理部を介して第２の通信装置へ送信する、ことをセンタ装置に実行させる命令を含む。
【００４０】
かかる課題を解決するための本発明の他の形態によれば、第１の通信装置と、第２の通信装置と、第２の通信装置が第１の通信装置から通話の着信又はデータの着信を行う際に、通話の着信又はデータの着信を許可するセンタ装置と、を有する通信システムが提供される。係る通信システムにおいて、第１の通信装置は、第１の通信装置が存在する位置を示す発信装置位置情報をセンタ装置に送信し、第２の通信装置は、通話の着信又はデータの着信の許可を要求する着信許可要求をセンタ装置に送信し、センタ装置は、第１の通信装置及び第２の通信装置との通信処理を行う通信処理部と、第１の通信装置による通話の発信又はデータの発信を許可する位置の範囲を示す発信許可範囲情報を記憶する記憶部と、を有し、通信処理部を介して発信装置位置情報を受信し、通信処理部を介して着信許可要求を受信すると、発信装置位置情報に示される位置が発信許可範囲情報に示される範囲に含まれるか否かを判定し、当該位置が当該範囲に含まれる場合、通話の着信又はデータの着信の許可を示す判定結果を通信処理部を介して第２の通信装置へ送信する。
【００４１】
かかる課題を解決するための本発明の他の形態によれば、第１の通信装置及び第２の通信装置との通信処理を行う通信処理部と記憶部とを有し、第１の通信装置が第２の通信装置へ通話の発信又はデータの発信を行う際に、第１の通信装置を第２の通信装置に接続する処理を行うセンタ装置における通信接続方法が提供される。係る通信接続方法は、通信処理部を介して、第２の通信装置が存在する位置を示す着信装置位置情報を受信し、通信処理部を介して、第１の通信装置から第２の通信装置への接続を要求する接続要求を第１の通信装置から受信し、記憶部から第２の通信装置による通話の着信又はデータの着信を許可する位置の範囲を示す着信許可範囲情報を読み出し、接続要求を受信すると、着信装置位置情報に示される位置が着信許可範囲情報に示される範囲に含まれるか否かを判定し、当該位置が当該範囲に含まれる場合、第１の通信装置を第２の通信装置に接続する処理を通信処理部に行わせることを含む。
【００４２】
かかる課題を解決するための本発明の他の形態によれば、第１の通信装置及び第２の通信装置との通信処理を行う通信処理部と記憶部とを有するセンタ装置に、第１の通信装置が第２の通信装置へ通話の発信又はデータの発信を行う際に、第１の通信装置を第２の通信装置に接続する処理を行わせる通信接続プログラムが提供される。係る通信接続プログラムは、通信処理部を介して、第２の通信装置が存在する位置を示す着信装置位置情報を受信し、通信処理部を介して、第１の通信装置から第２の通信装置への接続を要求する接続要求を第１の通信装置から受信し、記憶部から第２の通信装置による通話の着信又はデータの着信を許可する位置の範囲を示す着信許可範囲情報を読み出し、接続要求を受信すると、着信装置位置情報に示される位置が着信許可範囲情報に示される範囲に含まれるか否かを判定し、当該位置が当該範囲に含まれる場合、第１の通信装置を第２の通信装置に接続する処理を通信処理部に行わせる、ことをセンタ装置に実行させる命令を含む。
【００４３】
かかる課題を解決するための本発明の他の形態によれば、第１の通信装置と、第２の通信装置と、第１の通信装置が第２の通信装置へ通話の発信又はデータの発信を行う際に、第１の通信装置を第２の通信装置に接続する処理を行うセンタ装置と、を有する通信システムが提供される。係る通信システムにおいて、第２の通信装置は、第２の通信装置が存在する位置を示す着信装置位置情報をセンタ装置に送信し、第１の通信装置は、第１の通信装置から第２の通信装置への接続を要求する接続要求をセンタ装置に送信し、センタ装置は、第１の通信装置及び第２の通信装置との通信処理を行う通信処理部と、第２の通信装置による通話の着信又はデータの着信を許可する位置の範囲を示す着信許可範囲情報を記憶する記憶部と、を有し、通信処理部を介して着信装置位置情報を受信し、通信処理部を介して接続要求を受信すると、着信装置位置情報に示される位置が着信許可範囲情報に示される範囲に含まれるか否かを判定し、当該位置が当該範囲に含まれる場合、第１の通信装置を第２の通信装置に接続する処理を通信処理部に行わせる。
【００４４】
かかる課題を解決するための本発明の他の形態によれば、第１の通信装置及び第２の通信装置との通信処理を行う通信処理部と記憶部とを有し、第２の通信装置が第１の通信装置から通話の着信又はデータの着信を行う際に、第２の通信装置を第１の通信装置に接続する処理を行うセンタ装置における通信接続方法が提供される。係る通信接続方法は、通信処理部を介して、第１の通信装置が存在する位置を示す発信装置位置情報を受信し、通信処理部を介して、第１の通信装置から第２の通信装置への接続を要求する接続要求を第１の通信装置から受信し、記憶部から第１の通信装置による通話の発信又はデータの発信を許可する位置の範囲を示す発信許可範囲情報を読み出し、接続要求を受信すると、発信装置位置情報に示される位置が発信許可範囲情報に示される範囲に含まれるか否かを判定し、当該位置が当該範囲に含まれる場合、第２の通信装置を第１の通信装置に接続する処理を通信処理部に行わせることを含む。
【００４５】
かかる課題を解決するための本発明の他の形態によれば、第１の通信装置及び第２の通信装置との通信処理を行う通信処理部と記憶部とを有するセンタ装置に、第２の通信装置が第１の通信装置から通話の着信又はデータの着信を行う際に、第２の通信装置を第１の通信装置に接続する処理を行わせる通信接続プログラムが提供される。係る通信接続プログラムは、通信処理部を介して、第１の通信装置が存在する位置を示す発信装置位置情報を受信し、通信処理部を介して、第１の通信装置から第２の通信装置への接続を要求する接続要求を第１の通信装置から受信し、記憶部から第１の通信装置による通話の発信又はデータの発信を許可する位置の範囲を示す発信許可範囲情報を読み出し、接続要求を受信すると、発信装置位置情報に示される位置が発信許可範囲情報に示される範囲に含まれるか否かを判定し、当該位置が当該範囲に含まれる場合、第２の通信装置を第１の通信装置に接続する処理を通信処理部に行わせる、ことをセンタ装置に実行させる命令を含む。
【００４６】
かかる課題を解決するための本発明の他の形態によれば、第１の通信装置と、第２の通信装置と、第２の通信装置が第１の通信装置から通話の着信又はデータの着信を行う際に、第２の通信装置を第１の通信装置に接続する処理を行うセンタ装置と、を有する通信システムが提供される。係る通信システムにおいて、第１の通信装置は、第１の通信装置が存在する位置を示す発信装置位置情報をセンタ装置に送信し、第１の通信装置から第２の通信装置への接続を要求する接続要求をセンタ装置に送信し、センタ装置は、第１の通信装置及び第２の通信装置との通信処理を行う通信処理部と、第１の通信装置による通話の発信又はデータの発信を許可する位置の範囲を示す発信許可範囲情報を記憶する記憶部と、を有し、通信処理部を介して発信装置位置情報を受信し、通信処理部を介して接続要求を受信すると、発信装置位置情報に示される位置が発信許可範囲情報に示される範囲に含まれるか否かを判定し、当該位置が当該範囲に含まれる場合、第２の通信装置を第１の通信装置に接続する処理を通信処理部に行わせる。
【発明の効果】
【００４７】
本発明に係る通信装置、センタ装置、通信システム、通信接続方法及び通信接続プログラムは、通信装置が不適切な場所で利用されることを制限することができるという効果を奏する。
【図面の簡単な説明】
【００４８】
【図１】警備システムの全体システム構成を示す概略構成図である。
【図２】第１の実施形態による警備システムにおける通信装置の通信接続処理の動作シーケンス図である。
【図３】第１の実施形態による通信装置の機能ブロック図である。
【図４】第１の実施形態による通信装置の制御部により実行される、発信判定処理の動作を示すフローチャートである。
【図５】第２の実施形態による警備システムの全体システム構成を示す概略構成図である。
【図６】第２の実施形態による警備システムにおける通信装置及び近距離無線装置の通信接続処理の動作シーケンス図である。
【図７】近距離無線装置の機能ブロック図である。
【図８】第２の実施形態による通信装置の機能ブロック図である。
【図９】第３の実施形態による警備システムにおける通信装置及び近距離無線装置の通信接続処理の動作シーケンス図である。
【図１０】第３の実施形態による通信装置の機能ブロック図である。
【図１１】第３の実施形態による通信装置の制御部により実行される、発信判定処理の動作を示すフローチャートである。
【図１２】第４の実施形態による警備システムにおける通信装置の通信接続処理の動作シーケンス図である。
【図１３】第４の実施形態による通信装置の制御部により実行される、着信判定処理の動作を示すフローチャートである。
【図１４】第５の実施形態による警備システムにおける通信装置及びセンタ装置の通信接続処理の動作シーケンス図である。
【図１５】第５の実施形態によるセンタ装置の機能ブロック図である。
【図１６】第５の実施形態によるセンタ装置の制御部により実行される、発信許可判定処理の動作を示すフローチャートである。
【図１７】第６の実施形態による警備システムにおける通信装置及びセンタ装置の通信接続処理の動作シーケンス図である。
【図１８】第６の実施形態によるセンタ装置の制御部により実行される、着信許可判定処理の動作を示すフローチャートである。
【図１９】第７の実施形態による警備システムにおける通信装置及びセンタ装置の通信接続処理の動作シーケンス図である。
【図２０】第７の実施形態によるセンタ装置の制御部により実行される、接続判定処理の動作を示すフローチャートである。
【図２１】第８の実施形態によるセンタ装置の制御部により実行される、接続判定処理の動作を示すフローチャートである。
【発明を実施するための形態】
【００４９】
以下、本発明の通信システムの一つの実施形態である警備システムについて図を参照しつつ説明する。
本発明を適用した警備システムでは、通信装置は、相手通信装置へ通話の発信を行う前に、相手通信装置が存在する位置が、着信を許可する位置の範囲に含まれるか否かを判定し、含まれる場合に限り発信を行う。このように、通信装置は、相手通信装置の位置が着信が許可された位置である場合に限り発信することにより、不適切な場所での通信装置の利用の制限を図る。
【００５０】
図１は、本発明の第１の実施形態による警備システムの全体システム構成を示す図である。図１に示すように、警備システム１は、警備装置２、３と、センタ装置４と、通信装置５、６と、を有する。通信装置５、６、センタ装置４は、それぞれ基地局装置７、８、９を介して携帯電話ネットワーク１０に接続される。携帯電話ネットワーク１０は、Ｗ−ＣＤＭＡ、ＣＤＭＡ２０００またはＬＴＥ（Long Term Evolution）等の通信方式に従ったネットワークであり、さらに不図示のゲートウェイサーバを介して、インターネット等のＩＰネットワーク１１に接続される。さらに、ＩＰネットワーク１１には、警備装置２、３とセンタ装置４が接続される。
【００５１】
警備装置２及び警備装置３には、それぞれ異なる家屋、マンションの一室等の物件に設置され、各物件の異常を検出するためのセンサが接続される。各センサは、例えば、火災を検知するための熱感知センサあるいは煙感知センサ、窓、ドア等の開閉部に取り付けられ、その開閉を検知するマグネットセンサ、又は受光した赤外線の光量変化に基づいて探知範囲内への侵入者等の有無を検知する赤外線センサである。あるいは、センサは、撮像画像と予め記憶された正常時の画像との差分信号に基づいて撮像範囲内への侵入者等の有無を検知する画像センサでもよい。警備装置２及び警備装置３は、センサにより異常が検出されると、異常が検出されたことを示す異常検出信号及び警備装置２及び警備装置３の識別番号を表す信号をＩＰネットワーク１１を介してセンタ装置４に通知する。
【００５２】
センタ装置４は、警備会社などが警備装置２、３を監視するために運営する監視センタ、警備員を派遣する警備本部、警備員に遠隔から指示を出すための指令本部、大型ビル内の防災センタに設けられた防災本部など、警備員の管理を行う施設に設置される。センタ装置４は、いわゆるサーバで構成され、モデムを介して携帯電話ネットワーク１０に接続された基地局装置９と無線通信を行うための通信インターフェースと、ＩＰネットワーク１１を介して各警備装置２、３と通信するための通信インターフェースと、液晶ディスプレイなどの表示装置と、キーボード、マウスなどの入力装置と、ブザー、ＬＥＤ等で構成される報知部を備える。そして、センタ装置４は、各警備装置２、３からＩＰネットワーク１１を介して異常検出信号を受信すると、その異常検出信号を送信した警備装置２、３が設置された物件及び検出された異常の内容を、報知部及び表示装置を通じて、監視員に報知する。異常を報知されたセンタ装置４の監視員は、警備員が携帯している通信装置５又は通信装置６に連絡し、その警備員に、異常が発生している警備装置が設置された物件に行って、現場の確認及び適切な対処を実施するように指示する。
【００５３】
センタ装置４には、物件毎に、その物件に設置された各警備装置の識別番号と、その警備装置が設置された位置を表す警備装置位置情報とが関連付けて記憶される。警備装置位置情報は、例えば住所名又は経度及び緯度により表される。
さらに、センタ装置４には、通信装置毎に、その通信装置の識別情報と、その通信装置による発信を許可する位置の範囲を示す発信許可範囲情報と、その通信装置による着信を許可する位置の範囲を示す着信許可範囲情報とが関連付けて記憶される。識別情報は、例えば通信装置の電話番号とする。発信許可範囲情報及び着信許可範囲情報は、例えば経度及び緯度により表される。発信許可範囲情報及び着信許可範囲情報は、例えば監視員が警備員に現場の確認及び所定の対処を実施するように指示した時に、その監視員により入力装置を介して異常検出信号を送信した警備装置が指定されると、センタ装置４によりその警備装置の位置から所定範囲内に自動的に設定される。所定範囲は、例えばその警備員がその警備装置に対して確認又は対処を実施しているとみなせる範囲に設定される。あるいは、所定範囲は、監視員により入力装置を介して直接設定されてもよい。または、発信許可範囲情報及び着信許可範囲情報は、警備員が現場の確認及び所定の対処を実施する警備装置が設置された建物内としてもよい。または、警備員が現場の確認及び所定の対処を実施する警備装置の最も近くにある基地局装置の位置から所定範囲内としてもよい。
【００５４】
また、センタ装置４は、発信許可範囲情報又は着信許可範囲情報を更新すると、更新した発信許可範囲情報又は着信許可範囲情報をその通信装置の識別情報と関連付けて、警備システム１内の全ての通信装置５、６に送信する。センタ装置４は、発信許可範囲情報又は着信許可範囲情報をＳＭＳ（ショートメッセージ）のメッセージとして、モデム及び携帯電話ネットワーク１０を介して通信装置５、６に送信する。以下では、センタ装置４と通信装置５、６との間の情報及び要求の送受信にはＳＭＳのメッセージが用いられるものとするが、ＳＭＳ以外のデータを送受信する方式を用いてもよい。
【００５５】
通信装置５及び通信装置６は、例えばそれぞれ警備装置２又は警備装置３が設置された物件の確認及び所定の対処を実施する警備員が携帯する携帯電話である。
【００５６】
図２は、第１の実施形態による警備システム１における通信装置５及び通信装置６の通信接続処理の動作シーケンス図である。この動作シーケンス図では、通信装置５を所持する警備員から、緊急要件を伝える為に警備装置３の確認又は対処を実施する警備員が携帯する通信装置６に通話の発信を行う例について説明する。
【００５７】
まず、通信装置５は、通信装置６へ通話の発信を行う場合、着信側の通信装置６が存在する位置を示す着信装置位置情報の取得要求を通信装置６に送信する（ステップＳ１０１）。なお、この取得要求は、例えばＳＭＳのメッセージとして送信される。以下では、通信装置５と通信装置６の間の情報及び要求の送受信にはＳＭＳのメッセージが用いられるものとするが、ＳＭＳ以外のデータを送受信する方式を用いてもよい。
【００５８】
一方、通信装置６は、着信装置位置情報の取得要求を受信すると、通信装置６の識別情報及び着信装置位置情報を通信装置５に送信する（ステップＳ１０２）。
【００５９】
通信装置５は、通信装置６の識別情報及び着信装置位置情報を受信すると、着信装置位置情報に示される位置が通信装置６による着信を許可する位置の範囲に含まれるか否かによって、通信装置６へ発信可能か否かを判定する発信判定処理を行う（ステップＳ１０３）。発信判定処理の詳細については後述する。次に、通信装置５は、発信判定処理において通信装置６へ発信可能と判定したか否かを判定する（ステップＳ１０４）。通信装置５は、通信装置６へ発信不可と判定した場合、一連の処理を終了する。一方、通信装置５は、通信装置６へ発信可能と判定した場合、通信装置６に発信要求を送信する（ステップＳ１０５）。この発信要求は、携帯電話ネットワーク１０を介して通信装置６と呼接続するための信号であり、通信装置５が準拠する通信方式に従った信号である。
【００６０】
一方、発信要求を受信した通信装置６は、通信装置５に着信応答を返信する（ステップＳ１０６）。この着信応答は、発信要求に対して応答する信号であり、通信装置６が準拠する通信方式に従った信号である。その後、通信装置５と通信装置６の間で呼接続が確立し、通信装置５を所持する警備員と、警備装置３の確認又は対処を実施し通信装置６を所持する警備員との間で通話が可能となる。
【００６１】
次に、本発明を適用した通信装置５の詳細について説明する。なお、通信装置５及び通信装置６の構成は同じであるため、以下では代表して通信装置５について説明する。図３に、通信装置５の機能ブロック図を示す。図３に示すように、通信装置５は、通信処理部５１と、表示部５２と、操作部５３と、位置測定部５４と、記憶部５５と、制御部５６とを有する。
【００６２】
通信処理部５１は、アンテナを通じて基地局装置７と、Ｗ−ＣＤＭＡ、ＣＤＭＡ２０００またはＬＴＥ等の通信方式に従った携帯電話の無線通信を行うためのインターフェース回路を有する。そして、通信処理部５１は、制御部５６の制御に従って着信装置位置情報の取得要求及び発信要求を基地局装置７及び携帯電話ネットワーク１０を介して通信装置６に送信し、携帯電話ネットワーク１０及び基地局装置７を介して通信装置６から受信した着信装置位置情報及び着信応答を制御部５６に送信する。なお、着信の際は、通信処理部５１は、受信した着信装置位置情報の取得要求及び発信要求を制御部５６に送信し、制御部５６の制御に従って着信装置位置情報及び着信応答を発信側の通信装置に送信する。また、通信処理部５１は、携帯電話ネットワーク１０及び基地局装置７を介してセンタ装置４から受信した着信許可範囲情報を制御部５６に送信する。
【００６３】
表示部５２は、液晶ディスプレイ、タッチパネルディスプレイなどの表示デバイスで構成され、発信処理のための画面、制御部５６から受け取った各種情報等を表示して、警備員へ報知する。
【００６４】
操作部５３は、警備員が通信装置５を操作するための操作インターフェースである。操作部５３は、テンキー等の入力装置で構成され、警備員からの各種操作を受け付け、それらの操作に対応する信号を制御部５６へ出力する。なお、表示部５２をタッチパネルディスプレイで構成した場合、タッチパネルディスプレイに警備員が各種操作を入力するためのキーボード画面を表示することにより、操作部５３の機能を実現してもよい。その場合、操作部５３は、そのキーボード画面を利用者が操作することにより、それらの操作に対応する信号を制御部５６へ出力する。
【００６５】
位置測定部５４は、通信装置５の現在位置を定期的に測定する。そのために、位置測定部５４は、例えば、三つのＧＰＳ（全地球測位システム）衛星からの信号を受信するＧＰＳ受信機を有し、受信した各信号に基づいて、三角測量により通信装置５の現在位置の緯度及び経度を測定する。あるいは、位置測定部５４は、位置がわかっている三つの基地局装置からの受信電波強度、または基地局装置までの電波到達時間に基づいて、三角測量により通信装置５の現在位置の緯度及び経度を測定してもよい。位置測定部５４は、測定した現在位置の緯度及び経度から自装置位置情報を生成する。
【００６６】
記憶部５５は、ＲＯＭ（Read Only Memory）、ＲＡＭ（Random Access Memory）等の半導体メモリを有する。記憶部５５は、通信装置５を制御するためのコンピュータプログラム、各種パラメータ及び各種データを記憶し、制御部５６との間でこれらの情報を入出力する。各種データには、警備システム１内の各通信装置の識別情報及びその識別情報に関連付けられた着信許可範囲情報が含まれる。
【００６７】
制御部５６は、一個または複数個のプロセッサ及びその周辺回路を有する。そして、制御部５６は、着信側の通信装置６が適切な位置に存在するか否かを判定し、適切な位置に存在する場合に限り、通信装置６に対して発信処理を行う。そのために、制御部５６は、そのプロセッサ上で動作するソフトウェアにより実装される機能モジュールとして、許可範囲受信手段５６１と、自装置位置取得手段５６２と、相手装置位置受信手段５６３と、判定手段５６４とを有する。
なお、制御部５６が有するこれらの各部は、独立した集積回路、ファームウェア、マイクロプロセッサなどで構成されてもよい。
以下、制御部５６の各部について詳細に説明する。
【００６８】
許可範囲受信手段５６１は、通信処理部５１を介してセンタ装置４から着信許可範囲情報を受信し、受信した着信許可範囲情報を記憶部５５に記憶する。
【００６９】
自装置位置取得手段５６２は、着信の際に、通信処理部５１を介して発信側の通信装置から着信装置位置情報の取得要求を受信すると、位置測定部５４から取得していた最新の自装置位置情報を、着信装置位置情報として自装置の識別情報とともに通信処理部５１を介して発信側の通信装置に送信する。
【００７０】
相手装置位置受信手段５６３は、通信装置６への発信指示と、通信装置６の電話番号を操作部５３から取得すると、通信処理部５１を介して通信装置６に着信装置位置情報の取得要求を送信し、通信処理部５１を介して通信装置６から通信装置６の識別情報及び着信装置位置情報を受信する。
【００７１】
判定手段５６４は、通信装置６の識別情報に関連付けられた着信許可範囲情報を記憶部５５から読み出し、相手装置位置受信手段５６３が受信した着信装置位置情報に示される位置が、着信許可範囲情報に示される範囲に含まれるか否かを判定する。そして、着信装置位置情報に示される位置が着信許可範囲情報に示される範囲に含まれない場合、接続に失敗した旨を表示部５２に表示させる。一方、着信装置位置情報に示される位置が着信許可範囲情報に示される範囲に含まれる場合、通信処理部５１に、通信装置６へ発信要求を送信させて通信装置６への通話の発信を行わせる。
【００７２】
図４は、第１の実施形態による制御部５６により実行される、発信判定処理の動作を示すフローチャートである。図４に示す発信判定処理は、図２のステップＳ１０３において実行される。
【００７３】
最初に、相手装置位置受信手段５６３は、着信側の通信装置６から通信装置６の識別情報及び着信装置位置情報を受信する（ステップＳ２０１）。次に、判定手段５６４は、通信装置６の識別情報に関連付けられた着信許可範囲情報を記憶部５５から読み出す（ステップＳ２０２）。次に、判定手段５６４は、着信装置位置情報に示される位置が、着信許可範囲情報に示される範囲に含まれるか否かを判定する（ステップＳ２０３）。そして、着信装置位置情報に示される位置が着信許可範囲情報に示される範囲に含まれない場合、発信不可と判定し（ステップＳ２０４）、接続に失敗した旨を表示部５２に表示させる（ステップＳ２０５）。一方、着信装置位置情報に示される位置が着信許可範囲情報に示される範囲に含まれる場合、発信可能と判定する（ステップＳ２０６）。この場合、判定手段５６４は、図２のステップＳ１０５において、通信処理部５１に、通信装置６へ発信要求を送信させて通信装置６への通話の発信を行わせる。
【００７４】
なお、通信装置５と通信装置６の間の呼接続が確立した後も、通信装置６は着信装置位置情報を通信装置５に定期的に送信するようにし、警備員が通話しながら移動し、着信装置位置情報に示される通信装置６の位置が着信許可範囲情報に示される範囲に含まれなくなった場合、通信装置５は、通信装置６との間の通信を切断してもよい。あるいは、通話中に、着信装置位置情報に示される通信装置６の位置が着信許可範囲情報に示される範囲に含まれなくなっても、通信装置６との間の通信を切断せずに継続させてもよい。
【００７５】
以上説明してきたように、第１の実施形態による通信システムでは、通信装置は、相手通信装置へ通話の発信を行う前に、相手通信装置が存在する位置が、着信を許可する位置の範囲に含まれるか否かを判定し、含まれる場合に限り発信を行う。通信装置は、相手通信装置の位置が着信が許可された位置である場合に限り発信するため、不適切な場所での通信装置の利用を制限することができる。警備員は、通信装置を私的に利用して、家族、友人等の携帯電話へ発信することができないので、緊急時に通信装置を利用できなくなることを抑制できる。また、警備員は、通信装置から、許可されていない場所で利用される第三者の電話へ発信することができないので、通信装置を用いて悪意を持って外部へ電話をかけて情報を漏洩することを抑制できる。さらに、着信側の通信装置を携帯する警備員が雑踏等にいる場合に、電話をかけてしまい、雑踏にいる第三者へ情報が漏洩することを抑制できる。
【００７６】
本発明は、上記実施の形態に限定されるものではなく、幾多の変更及び変形が可能である。例えば、第１の変形例において、発信側の通信装置は、着信側の通信装置の位置が着信が許可された範囲に含まれることに加えて、自装置の位置が発信が許可された範囲に含まれる場合に限り、発信処理を行ってもよい。その場合、許可範囲受信手段は、自装置の識別情報と関連付けられた発信許可範囲情報をセンタ装置から受信して記憶部に記憶しておく。そして、判定手段は、自装置の識別情報と関連付けられた発信許可範囲情報を記憶部から読み出し、最新の自装置位置情報に示される位置がその発信許可範囲情報に示される範囲に含まれるか否かを判定し、その位置がその範囲に含まれる場合に限り、通信処理部に通話の発信を行わせる。これにより、不適切な場所での通信装置の利用をより制限することができる。
【００７７】
また、第２の変形例において、着信許可範囲情報は、通信装置毎に設定するのではなく、全ての通信装置に共通に設定してもよい。
【００７８】
また、第３の変形例において、着信許可範囲情報に代えて、着信を禁止する位置の範囲を示す着信禁止範囲情報を設定してもよい。その場合、判定手段は、着信装置位置情報に示される位置が、着信禁止範囲情報に示される範囲に含まれない場合に限り、通信処理部に通話の発信を行わせる。これにより、通信装置を利用すべきでない範囲を指定することが可能となり、通信装置を利用できる範囲を柔軟に設定することができる。
【００７９】
また、第４の変形例において、通信装置は、携帯電話ではなくＰＨＳでもよい。この場合でも、通信装置は、着信側の通信装置が存在する位置が着信許可範囲情報に示される範囲に含まれる場合に限り、通話の発信を行う。さらに、通信装置が、通信する内容は、音声でなくてもよく、画像、電子メール、ＳＭＳのメッセージでもよい。これらの場合、着信許可範囲情報は、データの着信を許可する位置の範囲に設定され、発信側の通信装置は、着信側の通信装置が存在する位置が着信許可範囲情報に示される範囲に含まれる場合に限り、その着信側の通信装置宛ての画像、電子メール又はＳＭＳのメッセージを発信する。
【００８０】
また、本実施形態では、警備システムを例にして説明したが、本発明に係る通信システムは、警察、自衛隊、自治体等で用いられるシステムにも適用することができる。
【００８１】
次に、本発明の第２の実施形態による警備システムについて説明する。第２の実施形態による警備システムでは、着信許可範囲情報は、異常が検出された警備装置の位置から所定範囲内に設定されるのではなく、警備員が運転する自動車の位置から所定範囲内に設定される。図５に第２の実施形態による警備システムの全体システム構成を示す。図５に示すように、第２の実施形態による警備システム１は、図１に示した警備システムの各装置に加えて、近距離無線装置１２を有する。近距離無線装置１２は、着信側の通信装置６を携帯する警備員が運転する自動車１３に搭載され、自動車１３とともに移動する。そして、Ｂｌｕｅｔｏｏｔｈ（登録商標）、ＲＦＩＤ、ＺｉｇＢｅｅ等の通信方式に従った近距離無線通信により、通信装置６と通信する。
【００８２】
図６は、第２の実施形態による警備システム１における通信装置５、通信装置６及び近距離無線装置１２の通信接続処理の動作シーケンス図である。この動作シーケンス図では、通信装置５から、警備装置３の確認又は対処を実施する警備員が携帯する通信装置６に通話の発信を行う例について説明する。
【００８３】
まず、通信装置５は、通信装置６へ通話の発信を行う場合、着信装置位置情報の取得要求を通信装置６に送信する（ステップＳ３０１）。
【００８４】
一方、通信装置６は、着信装置位置情報の取得要求を受信すると、着信許可範囲情報の取得要求を近距離無線装置１２に送信する（ステップＳ３０２）。なお、着信許可範囲情報の取得要求は、近距離無線通信により送信される。近距離無線装置１２は、着信許可範囲情報の取得要求を受信すると、近距離無線装置１２の識別情報及び着信許可範囲情報を通信装置６に送信する（ステップＳ３０３）。なお、識別情報及び着信許可範囲情報は、近距離無線通信により送信される。通信装置６は、近距離無線装置１２の識別情報及び着信許可範囲情報を受信すると、通信装置６の識別情報、着信装置位置情報及び着信許可範囲情報を通信装置５に送信する（ステップＳ３０４）。
【００８５】
通信装置５は、通信装置６の識別情報、着信装置位置情報及び着信許可範囲情報を受信すると、発信判定処理において、着信装置位置情報に示される位置が着信許可範囲情報に示される範囲に含まれるか否かによって、通信装置６へ発信可能か否かを判定する（ステップＳ３０５）。
なお、ステップＳ３０６〜Ｓ３０８の処理は、図２の動作シーケンス図のステップＳ１０４〜Ｓ１０６の処理と同じであるため、説明を省略する。
【００８６】
次に、本発明を適用した近距離無線装置１２の詳細について説明する。図７に、近距離無線装置１２の機能ブロック図を示す。図７に示すように、近距離無線装置１２は、近距離通信部１２１と、位置測定部１２２と、記憶部１２３と、制御部１２４とを有する。
近距離通信部１２１は、Ｂｌｕｅｔｏｏｔｈ（登録商標）、ＲＦＩＤ、ＺｉｇＢｅｅ等の通信方式に従った近距離無線通信を行うためのインターフェース回路を有する。
位置測定部１２２は、通信装置５の位置測定部５４と同様の構成であるため、説明を省略する。
記憶部１２３は、ＲＯＭ、ＲＡＭ等の半導体メモリを有する。記憶部１２３は、近距離無線装置１２を制御するためのコンピュータプログラム、各種パラメータ及び各種データを記憶し、制御部１２４との間でこれらの情報を入出力する。各種データには、近距離無線装置１２の識別情報が含まれる。
制御部１２４は、一個または複数個のプロセッサ及びその周辺回路を有する。制御部１２４は、位置測定部１２２が測定した近距離無線装置１２が存在する位置から所定範囲内を着信許可範囲情報として設定し、着信許可範囲情報の取得要求を受信したときに、近距離無線装置１２の識別情報とともに、近距離通信部１２１を介して通信装置６に送信する。所定範囲は、例えば、自動車内とみなせる範囲とすることができる。
【００８７】
次に、第２の実施形態による通信装置６の詳細について説明する。なお、通信装置５及び通信装置６の構成は同じであるため、以下では代表して通信装置６について説明する。図８に、第２の実施形態による通信装置６の機能ブロック図を示す。図８に示すように、第２の実施形態による通信装置６は、図３に示した第１の実施形態による通信装置５の各部に加えて、近距離通信部５７を有する。また、制御部５６は、第１の実施形態による制御部５６の各手段に加えて、許可範囲送信手段５６５を有する。
【００８８】
近距離通信部５７は、近距離無線装置１２の近距離通信部１２１と同じ通信方式に従った近距離無線通信を行うためのインターフェース回路を有する。
【００８９】
記憶部５５は、近距離無線装置１２の識別情報を予め記憶している。
【００９０】
許可範囲送信手段５６５は、近距離通信部５７を介して近距離無線装置１２から、近距離無線装置１２の識別情報及び着信許可範囲情報を受信すると、受信した着信許可範囲情報を通信装置６の識別情報及び着信装置位置情報とともに、発信側の通信装置５に送信する。
【００９１】
許可範囲受信手段５６１は、通信処理部５１を介して新たに着信許可範囲情報を受信すると、記憶部５５に記憶された着信許可範囲情報を、新たに受信した着信許可範囲情報に更新する。
【００９２】
以上説明してきたように、第２の実施形態による通信システムでは、着信許可範囲情報は、警備員が運転する自動車に搭載された近距離無線装置により、その近距離無線装置の位置から所定範囲内に設定される。これにより、発信側の通信装置は、着信許可範囲情報を動的に更新でき、着信側の警備員が自動車で移動している場合でも、自動車内にいる場合に限り発信処理がされるように制限できる。なお、所定時間、着信装置位置情報に示される位置が移動している場合、自動車が移動中と判断して発信処理を制限するようにしてもよい。
【００９３】
次に、本発明の第３の実施形態による警備システムについて説明する。第３の実施形態による警備システムの全体システム構成は、図５に示した第２の実施形態による警備システム１と同様である。但し、第３の実施形態による警備システムでは、発信側の通信装置は、着信側の通信装置が、近距離無線通信装置と近距離無線により通信可能な状態であるか否かにより、自動車の近くに存在しているか否かを判定し、通信可能な状態である場合に限り発信を行う。
【００９４】
図９は、第３の実施形態による警備システム１における通信装置５、通信装置６及び近距離無線装置１２の通信接続処理の動作シーケンス図である。この動作シーケンス図では、通信装置５から、警備装置３の確認又は対処を実施する警備員が携帯する通信装置６に通話の発信を行う例について説明する。
【００９５】
まず、通信装置５は、通信装置６へ通話の発信を行う場合、通信装置６が近距離無線装置１２と近距離無線により通信可能な状態であるか否かを示す通信状態情報の取得要求を通信装置６に送信する（ステップＳ４０１）。
【００９６】
一方、通信装置６は、通信状態情報の取得要求を受信すると、近距離無線装置１２の識別情報の取得要求を近距離無線装置１２に送信する（ステップＳ４０２）。なお、識別情報の取得要求は、近距離無線通信により送信される。近距離無線装置１２は、識別情報の取得要求を受信すると、近距離無線装置１２の識別情報を通信装置６に送信する（ステップＳ４０３）。なお、識別情報は、近距離無線通信により送信される。通信装置６は、取得要求を送信してから所定時間内に、近距離無線装置１２の識別情報を正しく受信できたか否かにより、通信装置６が近距離無線装置１２と近距離無線により通信可能な状態であるか否かを判定し、通信状態情報を発信側の通信装置５に送信する（ステップＳ４０４）。
【００９７】
通信装置５は、通信装置６から通信状態情報を受信すると、発信判定処理において、通信装置６が近距離無線装置１２と近距離無線により通信可能な状態であるか否かによって、通信装置６へ発信可能か否かを判定する（ステップＳ４０５）。
【００９８】
次に、第３の実施形態による通信装置６の詳細について説明する。なお、通信装置５及び通信装置６の構成は同じであるため、以下では代表して通信装置６について説明する。図１０に、第３の実施形態による通信装置６の機能ブロック図を示す。図１０に示すように、第３の実施形態による通信装置６の制御部５６は、図８に示した第２の実施形態による通信装置６の制御部５６の相手装置位置受信手段５６３及び許可範囲送信手段５６５の代わりに、通信状態受信手段５６６及び通信状態送信手段５６７を有する。
【００９９】
通信状態送信手段５６７は、近距離無線装置１２の識別情報の取得要求を近距離無線装置１２に送信する。そして、取得要求を送信してから所定時間内に近距離無線装置１２の識別情報を正しく受信できたか否かにより、通信装置６が近距離無線装置１２と近距離無線により通信可能な状態であるか否かを判定し、通信状態情報を生成して発信側の通信装置５に送信する。
【０１００】
通信状態受信手段５６６は、着信側の通信装置から通信状態情報を受信する。
【０１０１】
判定手段５６４は、通信状態情報が、着信側の通信装置が近距離無線装置１２と近距離無線により通信可能な状態であることを示すか否かを判定し、通信可能な状態であることを示す場合に限り、着信側の通信装置への通話の発信を通信処理部５１に行わせる。
【０１０２】
図１１は、第３の実施形態による制御部５６により実行される、発信判定処理の動作を示すフローチャートである。図１１に示す発信判定処理は、図９のステップＳ４０５において実行される。
【０１０３】
最初に、通信状態受信手段５６６は、着信側の通信装置６から通信装置６の通信状態情報を受信する（ステップＳ５０１）。次に、判定手段５６４は、通信状態情報が、着信側の通信装置が近距離無線装置１２と近距離無線により通信可能な状態であることを示すか否かを判定する（ステップＳ５０２）。そして、通信状態情報が通信可能な状態でないことを示す場合、発信不可と判定し（ステップＳ５０３）、接続に失敗した旨を表示部５２に表示させる（ステップＳ５０４）。一方、通信状態情報が通信可能な状態でないことを示す場合、発信可能と判定する（ステップＳ５０５）。
【０１０４】
以上説明してきたように、第３の実施形態による通信システムでは、発信側の通信装置は、着信側の通信装置が近距離無線通信装置と近距離無線により通信可能な状態であるか否かにより、自動車の近くに存在しているか否かを判定し、通信可能な状態である場合に限り発信を行う。これにより、第２の実施形態と同様に、着信側の警備員が自動車内又は自動車の近くにいる場合に限り発信処理がされるように制限できる。
【０１０５】
次に、本発明の第４の実施形態による警備システムについて説明する。第４の実施形態による警備システムの全体システム構成は、図１に示した警備システム１と同様である。但し、第４の実施形態による警備システム１では、着信側の通信装置が、発信側の通信装置から通話の着信を行う前に、発信側の通信装置が存在する位置が、発信を許可する位置の範囲に含まれるか否かを判定し、含まれる場合に限り着信を行う。
【０１０６】
図１２は、第４の実施形態による警備システム１における通信装置５及び通信装置６の通信接続処理の動作シーケンス図である。この動作シーケンス図では、警備装置２の確認又は対処を実施する警備員が携帯する通信装置５から、緊急要件のため通信装置６に通話の発信を行う例について説明する。
【０１０７】
まず、通信装置５は、通信装置６へ通話の発信を行う場合、発信側の通信装置５から着信側の通信装置６への接続を要求する接続要求を通信装置６に送信する（ステップＳ６０１）。なお、接続要求には、通信装置５の識別情報と、通信装置５の自装置位置情報である発信装置位置情報が含まれる。
【０１０８】
一方、通信装置６は、接続要求を受信すると、発信装置位置情報に示される位置が通信装置５による発信を許可する位置の範囲に含まれるか否かによって、通信装置５からの着信を許可するか否かを判定する着信判定処理を行う（ステップＳ６０２）。着信判定処理の詳細については後述する。次に、通信装置６は、接続応答を通信装置５に送信する（ステップＳ６０３）。なお、接続応答には、通信装置６の識別情報と、着信を許可するか否かを示す着信可否情報とが含まれる。
【０１０９】
通信装置５は、接続応答を受信すると、着信可否情報が着信を許可することを示すか否かを判定する（ステップＳ６０４）。通信装置５は、着信可否情報が着信を許可しないことを示す場合、接続に失敗した旨を表示し（ステップＳ６０５）、一連の処理を終了する。一方、通信装置５は、着信可否情報が着信を許可することを示す場合、通信装置６に発信要求を送信する（ステップＳ６０６）。
【０１１０】
一方、通信装置６は、発信要求を受信すると、通信装置５に着信応答を返信する（ステップＳ６０７）。なお、通信装置６は、ステップＳ６０２の着信判定処理で通信装置５からの着信を許可していた場合に限り着信応答を返信してもよい。その後、通信装置５と通信装置６の間で呼接続が確立し、警備装置２の確認又は対処を実施する警備員と、通信装置６を所持する警備員との間で通話が可能となる。
【０１１１】
次に、第４の実施形態による通信装置６の詳細について説明する。なお、通信装置５及び通信装置６の構成は同じであるため、以下では代表して通信装置６について説明する。第４の実施形態による通信装置６の構成は、図３に示した第１の実施形態による通信装置５と同様である。
【０１１２】
但し、通信処理部５１は、携帯電話ネットワーク１０及び基地局装置８を介して通信装置５から受信した接続要求及び発信要求を制御部５６に送信するとともに、制御部５６の制御に従って接続応答及び着信応答を基地局装置８及び携帯電話ネットワーク１０を介して通信装置５に送信する。なお、発信の際は、通信処理部５１は、制御部５６の制御に従って接続要求及び発信要求を着信側の通信装置に送信し、着信側の通信装置から受信した接続応答及び着信応答を制御部５６に送信する。また、通信処理部５１は、携帯電話ネットワーク１０及び基地局装置８を介してセンタ装置４から受信した発信許可範囲情報を制御部５６に送信する。
【０１１３】
記憶部５５が記憶する各種データには、警備システム１内の各通信装置の識別情報及びその識別情報に関連付けられた発信許可範囲情報が含まれる。
【０１１４】
制御部５６は、発信側の通信装置５が適切な位置に存在するか否かを判定し、適切な位置に存在する場合に限り、通信装置５に対して着信処理を行う。
【０１１５】
許可範囲受信手段５６１は、通信処理部５１を介してセンタ装置４から発信許可範囲情報を受信し、受信した発信許可範囲情報を記憶部５５に記憶する。
【０１１６】
自装置位置取得手段５６２は、発信の際に、発信指示と、着信側の通信装置の電話番号を操作部５３から取得すると、位置測定部５４から取得していた最新の自装置位置情報を、発信装置位置情報として自装置の識別情報とともに接続要求に含めて通信処理部５１を介して着信側の通信装置に送信する。
【０１１７】
相手装置位置受信手段５６３は、通信処理部５１を介して発信側の通信装置５から接続要求を受信し、接続要求に含まれる通信装置５の識別情報及び発信装置位置情報を取得する。
【０１１８】
判定手段５６４は、通信装置５の識別情報に関連付けられた発信許可範囲情報を記憶部５５から読み出し、相手装置位置受信手段５６３が受信した発信装置位置情報に示される位置が、発信許可範囲情報に示される範囲に含まれるか否かを判定する。そして、発信装置位置情報に示される位置が発信許可範囲情報に示される範囲に含まれない場合、着信を拒否することを決定する。一方、発信装置位置情報に示される位置が発信許可範囲情報に示される範囲に含まれる場合、着信を許可することを決定し、通信処理部５１に、通信装置５からの発信要求に対して着信応答を送信させて通信装置５からの通話の着信を行わせる。
【０１１９】
図１３は、制御部５６により実行される、着信判定処理の動作を示すフローチャートである。図１３に示す着信判定処理は、図１２のステップＳ６０２において実行される。
【０１２０】
最初に、相手装置位置受信手段５６３は、発信側の通信装置５から接続要求を受信し、接続要求に含まれる通信装置５の識別情報及び発信装置位置情報を取得する（ステップＳ７０１）。次に、判定手段５６４は、通信装置５の識別情報に関連付けられた発信許可範囲情報を記憶部５５から読み出す（ステップＳ７０２）。次に、判定手段５６４は、発信装置位置情報に示される位置が、発信許可範囲情報に示される範囲に含まれるか否かを判定する（ステップＳ７０３）。そして、発信装置位置情報に示される位置が発信許可範囲情報に示される範囲に含まれない場合、着信を拒否すると判定する（ステップＳ７０４）。一方、発信装置位置情報に示される位置が発信許可範囲情報に示される範囲に含まれる場合、着信を許可すると判定する（ステップＳ７０５）。この場合、判定手段５６４は、図１２のステップＳ６０７において、通信処理部５１に、通信装置５へ着信応答を送信させて通信装置５からの通話の着信を行わせる。
【０１２１】
以上説明してきたように、第４の実施形態による通信システムでは、通信装置は、相手通信装置から通話の着信を行う前に、相手通信装置が存在する位置が、発信を許可する位置の範囲に含まれるか否かを判定し、含まれる場合に限り着信を行う。通信装置は、相手通信装置の位置が発信が許可された位置である場合に限り着信するため、不適切な場所での通信装置の利用を制限することができる。警備員は、家族、友人等からの私的な電話を通信装置で着信することができないので、緊急時に通信装置を利用できなくなることを抑制できる。また、許可されていない場所で第三者が利用する電話からの通信装置への着信を拒否するので、情報を漏洩することを抑制できる。さらに、発信側の通信装置を携帯する警備員が雑踏等にいる時に発信してしまった場合の着信を拒否するので、雑踏にいる第三者へ情報が漏洩することも抑制できる。
【０１２２】
また、第１の変形例において、第１の実施形態による第１の変形例と同様に、着信側の通信装置も、発信側の通信装置の位置が発信が許可された範囲に含まれることに加えて、自装置の位置が着信が許可された範囲に含まれる場合に限り、着信処理を行ってもよい。その場合、許可範囲受信手段は、自装置の識別情報と関連付けられた着信許可範囲情報をセンタ装置から受信して記憶部に記憶しておく。そして、判定手段は、自装置の識別情報と関連付けられた着信許可範囲情報を記憶部から読み出し、最新の自装置位置情報に示される位置がその着信許可範囲情報に示される範囲に含まれるか否かを判定し、その位置がその範囲に含まれる場合に限り、通信処理部に通話の着信を行わせる。
【０１２３】
また、第２の変形例において、発信許可範囲情報は、通信装置毎に設定するのではなく、全ての通信装置に共通に設定してもよい。
【０１２４】
また、第３の変形例において、発信許可範囲情報に代えて、発信を禁止する位置の範囲を示す発信禁止範囲情報を設定してもよい。その場合、判定手段は、発信装置位置情報に示される位置が、発信禁止範囲情報に示される範囲に含まれない場合に限り、通信処理部に通話の着信を行わせる。
【０１２５】
また、第４の変形例において、通信装置が、通信する内容は、音声でなくてもよく、画像、電子メール、ＳＭＳのメッセージでもよい。これらの場合、発信許可範囲情報は、データの発信を許可する位置の範囲に設定され、着信側の通信装置は、発信側の通信装置が存在する位置が発信許可範囲情報に示される範囲に含まれる場合に限り、その発信側の通信装置から発信された画像、電子メール又はＳＭＳのメッセージを着信する。
【０１２６】
また、第２の実施形態の構成を第４の実施形態においても適用してもよい。その場合、近距離無線装置１２は、発信側の通信装置５を携帯する警備員が運転する自動車に搭載され、近距離無線装置１２の制御部１２４は、位置測定部１２２が測定した近距離無線装置１２が存在する位置から所定範囲内を発信許可範囲情報として設定する。通信装置５は着信側の通信装置６に接続要求を送信する前に、近距離無線装置１２から発信許可範囲情報を取得し、取得した発信許可範囲情報を接続要求に含めて着信側の通信装置６に送信する。通信装置６は、通信処理部５１を介して新たに発信許可範囲情報を受信すると、記憶部５５に記憶された発信許可範囲情報を、新たに受信した発信許可範囲情報に更新する。そして、発信装置位置情報に示される位置が、更新された発信許可範囲情報に示される範囲に含まれるか否かにより、通信装置５から着信してよいか否かを判定する。
【０１２７】
また、第３の実施形態の構成を第４の実施形態においても適用してもよい。その場合、近距離無線装置１２は、発信側の通信装置５を携帯する警備員が運転する自動車に搭載される。通信装置５は着信側の通信装置６に接続要求を送信する前に、通信装置５が近距離無線装置１２と近距離無線により通信可能な状態であるか否かを判定し、通信状態情報を生成して、接続要求に含めて通信装置６に送信する。通信装置６の通信状態受信手段５６６が接続要求を受信すると、判定手段５６４は、通信状態情報が、通信装置５が近距離無線装置１２と近距離無線により通信可能な状態であることを示すか否かを判定し、通信可能な状態であることを示す場合に限り、発信側の通信装置からの通話の着信を通信処理部５１に行わせる。
【０１２８】
次に、本発明の第５の実施形態による警備システムについて説明する。第５の実施形態による警備システムの全体システム構成は、図１に示した警備システム１と同様である。但し、第５の実施形態による警備システム１では、発信側の通信装置が、着信側の通信装置に通話の発信を行う際、センタ装置が、着信側の通信装置が存在する位置が、着信を許可する位置の範囲に含まれるか否かを判定し、含まれる場合に限り発信を許可する。
【０１２９】
図１４は、警備システム１における通信装置５、通信装置６及びセンタ装置４の通信接続処理の動作シーケンス図である。この動作シーケンス図では、通信装置５から、警備装置３の確認又は対処を実施する警備員が携帯する通信装置６に通話の発信を行う例について説明する。
【０１３０】
まず、通信装置５は、通信装置６へ通話の発信を行う場合、通信装置６への発信の許可を要求する発信許可要求をセンタ装置４に送信する（ステップＳ８０１）。なお、発信許可要求には、通信装置５の識別情報及び通信装置６の識別情報が含まれる。
【０１３１】
一方、センタ装置４は、発信許可要求を受信すると、通信装置６が存在する位置が通信装置６による着信を許可する位置の範囲に含まれるか否かによって、通信装置５に発信を許可するか否かを判定する発信許可判定処理を行う（ステップＳ８０２）。発信許可判定処理の詳細については後述する。次に、センタ装置４は、判定結果を通信装置５に送信する（ステップＳ８０３）。なお、判定結果には、発信を許可するか拒否するかを示す発信可否情報が含まれる。
【０１３２】
通信装置５は、判定結果を受信すると、発信可否情報が発信を許可することを示すか否かを判定する（ステップＳ８０４）。通信装置５は、発信可否情報が発信を拒否することを示す場合、接続に失敗した旨を表示して通信装置５を携帯する警備員に通知し（ステップＳ８０５）、一連の処理を終了する。一方、通信装置５は、発信可否情報が発信を許可することを示す場合、通信装置６に発信要求を送信する（ステップＳ８０６）。
【０１３３】
通信装置６は、発信要求を受信すると、通信装置５に着信応答を送信する（ステップＳ８０７）。その後、通信装置５と通信装置６の間で呼接続が確立し、警備装置２の確認又は対処を実施する警備員と、警備装置３の確認又は対処を実施する警備員との間で通話が可能となる。
【０１３４】
次に、第５の実施形態による通信装置５の詳細について説明する。なお、通信装置５及び通信装置６の構成は同じであるため、以下では代表して通信装置５について説明する。第５の実施形態による通信装置５では、図３に示した第１の実施形態による通信装置５の各部のうち、制御部５６の許可範囲受信手段５６１と、相手装置位置受信手段５６３が省略される。
また、自装置位置取得手段５６２は、定期的に、通信装置５の位置を示す装置位置情報を位置測定部５４から取得し、自装置の識別情報とともに通信処理部５１を介してセンタ装置４に送信する。
また、判定手段５６４は、発信判定処理を実施することに代えて、センタ装置４から受信した判定結果に含まれる発信可否情報が発信を許可することを示すか否かを判定することにより、通信装置６に発信してよいか否かを判定する。
【０１３５】
次に、第５の実施形態によるセンタ装置４の詳細について説明する。図１５に、センタ装置４の機能ブロック図を示す。図１５に示すように、センタ装置４は、通信処理部４１と、ＩＰ通信処理部４２と、表示部４３と、操作部４４と、記憶部４５と、制御部４６とを有する。
【０１３６】
通信処理部４１は、モデムを介して、携帯電話ネットワーク１０に接続された基地局装置９と無線通信を行うためのインターフェース回路を有する。そして、通信処理部４１は、携帯電話ネットワーク１０を介して通信装置５及び通信装置６から定期的に受信した識別情報及び装置位置情報を制御部４６に送信する。また、通信処理部４１は、携帯電話ネットワーク１０を介して通信装置５から受信した発信許可要求を制御部４６に送信するとともに、制御部４６の制御に従って判定結果を携帯電話ネットワーク１０を介して通信装置５に送信する。
【０１３７】
ＩＰ通信処理部４２は、センタ装置４をＩＰネットワーク１１に接続するためのインターフェース回路を有する。そして、ＩＰ通信処理部４２は、ＩＰネットワーク１１を介して警備装置２及び警備装置３から受信した異常検出信号を制御部４６に送信する。
【０１３８】
表示部４３及び操作部４４は、それぞれ通信装置５の表示部５２及び操作部５３と同様の構成であるため、説明を省略する。
【０１３９】
記憶部４５は、ＲＯＭ、ＲＡＭ等の半導体メモリを有する。記憶部４５は、センタ装置４を制御するためのコンピュータプログラム、各種パラメータ及び各種データを記憶し、制御部４６との間でこれらの情報を入出力する。各種データには、各通信装置の識別情報に関連付けられた装置位置情報及び着信許可範囲情報が含まれる。
【０１４０】
制御部４６は、一個または複数個のプロセッサ及びその周辺回路を有する。そして、制御部４６は、着信側の通信装置６が適切な位置に存在するか否かを判定し、適切な位置に存在する場合に限り、発信側の通信装置５に対して発信処理を許可する。そのために、制御部４６は、そのプロセッサ上で動作するソフトウェアにより実装される機能モジュールとして、許可範囲取得手段４６１と、装置位置受信手段４６２と、要求受信手段４６３と、判定手段４６４とを有する。
なお、制御部４６が有するこれらの各部は、独立した集積回路、ファームウェア、マイクロプロセッサなどで構成されてもよい。
以下、制御部４６の各部について詳細に説明する。
【０１４１】
許可範囲取得手段４６１は、監視員による操作部４４を介した着信許可範囲情報の設定を受け付けると、設定された着信許可範囲情報を記憶部４５に記憶する。
【０１４２】
装置位置受信手段４６２は、通信処理部４１を介して通信装置５及び通信装置６から定期的に受信した識別情報及び装置位置情報を関連付けて記憶部４５に記憶する。
【０１４３】
要求受信手段４６３は、通信処理部４１を介して通信装置５から発信許可要求を受信する。
【０１４４】
判定手段４６４は、要求受信手段４６３が通信処理部４１を介して通信装置５から発信許可要求を受信すると、着信側の通信装置６の識別情報に関連付けられた装置位置情報及び着信許可範囲情報を記憶部４５から読み出す。判定手段４６４は、装置位置情報に示される位置が、着信許可範囲情報に示される範囲に含まれるか否かを判定し、含まれない場合、通信装置５による発信を拒否することを決定し、含まれる場合、通信装置５による発信を許可することを決定する。そして、判定結果を通信処理部４１を介して通信装置６に送信する。
【０１４５】
図１６は、制御部４６により実行される、発信許可判定処理の動作を示すフローチャートである。図１６に示す発信許可判定処理は、図１４のステップＳ８０２において実行される。
【０１４６】
最初に、要求受信手段４６３は、発信側の通信装置５から発信許可要求を受信する（ステップＳ９０１）。次に、判定手段４６４は、着信側の通信装置６の識別情報に関連付けられた装置位置情報を記憶部４５から読み出し（ステップＳ９０２）、着信側の通信装置６の識別情報に関連付けられた着信許可範囲情報を記憶部４５から読み出す（ステップＳ９０３）。次に、判定手段４６４は、装置位置情報に示される位置が、着信許可範囲情報に示される範囲に含まれるか否かを判定する（ステップＳ９０４）。そして、装置位置情報に示される位置が着信許可範囲情報に示される範囲に含まれない場合、通信装置５による発信を拒否することを決定する（ステップＳ９０５）。一方、装置位置情報に示される位置が着信許可範囲情報に示される範囲に含まれる場合、通信装置５による発信を許可することを決定する（ステップＳ９０６）。
【０１４７】
なお、センタ装置４は、通信装置５による発信を拒否することを決定した場合、通信装置６にその旨を通知し、通信装置６は、その通知を受けると、通信装置５による発信が拒否された旨を表示してもよい。これにより、通信装置６を携帯する警備員は、通信装置５から発信があったが、着信位置が適切でないため、着信できなかったことを認識できる。
【０１４８】
以上説明してきたように、第５の実施形態による通信システムでは、センタ装置が、着信側の通信装置が存在する位置が、着信を許可する位置の範囲に含まれるか否かを判定し、含まれる場合に限り発信側の通信装置による通話の発信を許可する。これにより、第１の実施形態と同様に、通信装置が不適切な場所で利用されることを制限することができる。
【０１４９】
なお、第１の実施形態における第１〜４の各変形例を第５の実施形態においても適用することができる。第１の変形例を適用する場合、センタ装置の判定手段は、発信側の通信装置５の装置位置情報に示される位置が、発信側の通信装置の発信許可範囲情報に示される範囲に含まれるか否かをさらに判定し、含まれない場合は通信装置による発信を拒否することを決定する。
また、第２の実施形態の構成を第５の実施形態においても適用することができる。その場合、着信側の通信装置６は、近距離無線装置１２から着信許可範囲情報を定期的に取得し、通信装置６の識別情報及び装置位置情報とともに、センタ装置４に送信する。センタ装置４は、新たに着信許可範囲情報を受信すると、記憶部４５に記憶された着信許可範囲情報を、新たに受信した着信許可範囲情報に更新する。
また、第３の実施形態の構成を第５の実施形態においても適用することができる。その場合、着信側の通信装置６は、通信状態情報をセンタ装置４に定期的に送信し、センタ装置４は、最新の通信状態情報に基づいて、発信側の通信装置５による発信を許可するか否かを判定する。
【０１５０】
次に、本発明の第６の実施形態による警備システムについて説明する。第６の実施形態による警備システムの全体システム構成は、第５の実施形態による警備システム１と同様である。但し、第６の実施形態による警備システム１では、着信側の通信装置が、発信側の通信装置から通話の着信を行う際、センタ装置が、発信側の通信装置が存在する位置が、発信を許可する位置の範囲に含まれるか否かを判定し、含まれる場合に限り着信を許可する。
【０１５１】
図１７は、警備システム１における通信装置５、通信装置６及びセンタ装置４の通信接続処理の動作シーケンス図である。この動作シーケンス図では、警備装置２の確認又は対処を実施する警備員が携帯する通信装置５から、緊急要件を伝えるために通信装置６に発信を行う例について説明する。
【０１５２】
まず、通信装置５は、通信装置６へ通話の発信を行う場合、発信要求を通信装置６へ送信する（ステップＳ１００１）。
【０１５３】
一方、通信装置６は、発信要求を受信すると、通信装置５に対する着信の許可を要求する着信許可要求をセンタ装置４に送信する（ステップＳ１００２）。なお、着信許可要求には、通信装置５の識別情報及び通信装置６の識別情報が含まれる。
【０１５４】
一方、センタ装置４は、着信許可要求を受信すると、通信装置５が存在する位置が通信装置５による発信を許可する位置の範囲に含まれるか否かによって、通信装置６に着信を許可するか否かを判定する着信許可判定処理を行う（ステップＳ１００３）。着信許可判定処理の詳細については後述する。次に、センタ装置４は、判定結果を通信装置６に送信する（ステップＳ１００４）。なお、判定結果には、着信を許可するか拒否するかを示す着信可否情報が含まれる。
【０１５５】
通信装置６は、判定結果を受信すると、着信可否情報が着信を許可することを示すか否かを判定する（ステップＳ１００５）。通信装置６は、着信可否情報が着信を拒否することを示す場合、一連の処理を終了する。一方、通信装置６は、着信可否情報が着信を許可することを示す場合、通信装置５に着信応答を送信する（ステップＳ１００６）。その後、通信装置５と通信装置６の間で呼接続が確立し、警備装置２の確認又は対処を実施する警備員と、通信装置６を所持する警備員との間で通話が可能となる。
【０１５６】
次に、第６の実施形態による通信装置６の詳細について説明する。なお、通信装置５及び通信装置６の構成は同じであるため、以下では代表して通信装置６について説明する。第６の実施形態による通信装置６の構成は、第５の実施形態による通信装置５と同様である。
但し、判定手段５６４は、第４の実施形態による判定手段５６４が実施する着信判定処理に代えて、センタ装置４から受信した判定結果に含まれる着信可否情報が着信を許可することを示すか否かを判定することにより、通信装置５から着信してよいか否かを判定する。
【０１５７】
次に、第６の実施形態によるセンタ装置４の詳細について説明する。第６の実施形態によるセンタ装置４の構成は、図１５に示した第５の実施形態によるセンタ装置４と同様である。
但し、通信処理部４１は、携帯電話ネットワーク１０を介して通信装置６から受信した着信許可要求を制御部４６に送信するとともに、制御部４６の制御に従って判定結果を携帯電話ネットワーク１０を介して通信装置５に送信する。
【０１５８】
記憶部４５が記憶する各種データには、各通信装置の識別情報に関連付けられた装置位置情報及び発信許可範囲情報が含まれる。
【０１５９】
制御部４６は、発信側の通信装置５が適切な位置に存在するか否かを判定し、適切な位置に存在する場合に限り、着信側の通信装置６に対して着信処理を許可する。
【０１６０】
要求受信手段４６３は、通信処理部４１を介して、通信装置６から識別情報及び着信許可要求を受信する。
【０１６１】
許可範囲取得手段４６１は、監視員による操作部４４を介した発信許可範囲情報の設定を受け付けると、設定された発信許可範囲情報を記憶部４５に記憶する。
【０１６２】
判定手段４６４は、要求受信手段４６３が通信処理部４１を介して通信装置６から着信許可要求を受信すると、発信側の通信装置５の識別情報に関連付けられた装置位置情報及び発信許可範囲情報を記憶部４５から読み出す。判定手段４６４は、装置位置情報に示される位置が、発信許可範囲情報に示される範囲に含まれるか否かを判定し、含まれない場合、通信装置６による着信を拒否することを決定し、含まれる場合、通信装置６による着信を許可することを決定する。そして、判定結果を通信処理部４１を介して通信装置６に送信する。
【０１６３】
図１８は、制御部４６により実行される、着信許可判定処理の動作を示すフローチャートである。図１８に示す着信許可判定処理は、図１７のステップＳ１００３において実行される。
【０１６４】
最初に、要求受信手段４６３は、着信側の通信装置６から着信許可要求を受信する（ステップＳ１１０１）。次に、判定手段４６４は、発信側の通信装置５の識別情報に関連付けられた装置位置情報を記憶部４５から読み出し（ステップＳ１１０２）、通信装置５の識別情報に関連付けられた発信許可範囲情報を記憶部４５から読み出す（ステップＳ１１０３）。次に、判定手段４６４は、装置位置情報に示される位置が、発信許可範囲情報に示される範囲に含まれるか否かを判定する（ステップＳ１１０４）。そして、装置位置情報に示される位置が発信許可範囲情報に示される範囲に含まれない場合、通信装置６による着信を拒否することを決定する（ステップＳ１１０５）。一方、装置位置情報に示される位置が発信許可範囲情報に示される範囲に含まれる場合、通信装置６による着信を許可することを決定する（ステップＳ１１０６）。
【０１６５】
以上説明してきたように、第６の実施形態による通信システムでは、センタ装置が、発信側の通信装置が存在する位置が、発信を許可する位置の範囲に含まれるか否かを判定し、含まれる場合に限り着信側の通信装置による通話の着信を許可する。これにより、第１の実施形態と同様に、通信装置が不適切な場所で利用されることを制限することができる。
【０１６６】
なお、第４の実施形態における第１〜４の各変形例を第６の実施形態においても適用することができる。第１の変形例を適用する場合、センタ装置の判定手段は、着信側の通信装置６の装置位置情報に示される位置が、着信側の通信装置６の着信許可範囲情報に示される範囲に含まれるか否かをさらに判定し、含まれない場合は通信装置６による着信を拒否することを決定する。
また、第２の実施形態の構成を第６の実施形態においても適用することができる。その場合、発信側の通信装置５は、近距離無線装置１２から発信許可範囲情報を定期的に取得し、通信装置５の識別情報及び装置位置情報とともに、センタ装置４に送信する。センタ装置４は、新たに発信許可範囲情報を受信すると、記憶部４５に記憶された発信許可範囲情報を、新たに受信した発信許可範囲情報に更新する。
また、第３の実施形態の構成を第６の実施形態においても適用することができる。その場合、発信側の通信装置５は、通信状態情報をセンタ装置４に定期的に送信し、センタ装置４は、最新の通信状態情報に基づいて、着信側の通信装置６による着信を許可するか否かを判定する。
【０１６７】
次に、本発明の第７の実施形態による警備システムについて説明する。第７の実施形態による警備システムの全体システム構成は、第５の実施形態による警備システム１と同様である。但し、第７の実施形態による警備システム１では、センタ装置４は、携帯電話端末として機能して、通信装置間の接続処理を行う。そして、発信側の通信装置が、着信側の通信装置に通話の発信を行う際、センタ装置４が、着信側の通信装置が存在する位置が、着信を許可する位置の範囲に含まれるか否かを判定し、含まれる場合に限り発信側の通信装置を着信側の通信装置に接続する。
【０１６８】
図１９は、警備システム１における通信装置５、通信装置６及びセンタ装置４の通信接続処理の動作シーケンス図である。この動作シーケンス図では、通信装置５から、センタ装置４を介して、警備装置３の確認又は対処を実施する警備員が携帯する通信装置６に通話の発信を行う例について説明する。
【０１６９】
まず、通信装置５は、通信装置６へ通話の発信を行う場合、センタ装置４を介した通信装置６への接続を要求する接続要求をセンタ装置４に送信する（ステップＳ１２０１）。なお、接続要求には、通信装置５の識別情報及び通信装置６の識別情報が含まれる。
【０１７０】
一方、センタ装置４は、接続要求を受信すると、通信装置６が存在する位置が通信装置６による着信を許可する位置の範囲に含まれるか否かによって、通信装置５と通信装置６の間の接続を許可するか否かを判定する接続判定処理を行う（ステップＳ１２０２）。接続判定処理の詳細については後述する。次に、センタ装置４は、通信装置５に接続応答を送信する（ステップＳ１２０３）。なお、接続応答には、接続を許可するか拒否するかを示す接続可否情報が含まれる。
【０１７１】
通信装置５は、接続応答を受信すると、接続可否情報が接続を許可することを示すか否かを判定する（ステップＳ１２０４）。通信装置５は、接続可否情報が接続を拒否することを示す場合、接続に失敗した旨を表示して通信装置５を携帯する警備員に通知し（ステップＳ１２０５）、一連の処理を終了する。一方、通信装置５は、接続可否情報が接続を許可することを示す場合、センタ装置４に発信要求を送信する（ステップＳ１２０６）。
【０１７２】
センタ装置４は、発信要求を受信すると、通信装置５に着信応答を送信する（ステップＳ１２０７）。これにより、通信装置５とセンタ装置４の間で通信接続が確立する。なお、センタ装置４は、ステップＳ１２０２の接続判定処理で通信装置５と通信装置６の間の接続を許可した場合に限り、通信装置５に着信応答を送信してもよい。
次に、センタ装置４は、通信装置６に発信要求を送信する（ステップＳ１２０８）。
【０１７３】
通信装置６は、発信要求を受信すると、センタ装置４に着信応答を送信する（ステップＳ１２０９）。これにより、センタ装置４と通信装置６の間で通信接続が確立する。なお、通信装置６は、受信した発信要求がセンタ装置４から送信されたか否かを判定し、発信要求がセンタ装置４から送信されていない場合は、着信を拒否してもよい。
【０１７４】
センタ装置４は、通信装置６から着信応答を受信すると、転送処理を実行し、通信装置５とセンタ装置４の間の通信接続を通信装置５と通信装置６の間の通信接続に切り替える（ステップＳ１２１０）。これにより、通信装置５と通信装置６の間で通信接続が確立する。
【０１７５】
次に、第７の実施形態による通信装置５の詳細について説明する。なお、通信装置５及び通信装置６の構成は同じであるため、以下では代表して通信装置５について説明する。第７の実施形態による通信装置５の構成は、第５の実施形態による通信装置５と同様である。
但し、判定手段５６４は、発信の際、センタ装置４から受信した接続応答に含まれる接続可否情報が接続を許可することを示すか否かを判定することにより、通信装置６に発信してよいか否かを判定する。そして、通信処理部５１を介して着信側の通信装置６ではなく、センタ装置４に発信要求を送信する。また、判定手段５６４は、着信の際、通信処理部５１を介して発信側の通信装置ではなく、センタ装置４に着信応答を送信する。
【０１７６】
次に、第７の実施形態によるセンタ装置４の詳細について説明する。第７の実施形態によるセンタ装置４の構成は、図１５に示した第５の実施形態によるセンタ装置４と同様である。
【０１７７】
但し、通信処理部４１は、携帯電話ネットワーク１０を介して通信装置５から受信した接続要求を制御部４６に送信するとともに、制御部４６の制御に従って接続応答を携帯電話ネットワーク１０を介して通信装置５に送信する。
【０１７８】
制御部４６は、着信側の通信装置６が適切な位置に存在するか否かを判定し、適切な位置に存在する場合に限り、通信処理部４１に、発信側の通信装置５を通信装置６に接続させる。
【０１７９】
要求受信手段４６３は、通信処理部４１を介して通信装置５から接続要求を受信する。
【０１８０】
判定手段４６４は、要求受信手段４６３が、通信処理部４１を介して通信装置５から接続要求を受信すると、着信側の通信装置６の識別情報に関連付けられた装置位置情報及び着信許可範囲情報を記憶部４５から読み出す。判定手段４６４は、装置位置情報に示される位置が、着信許可範囲情報に示される範囲に含まれるか否かを判定し、含まれない場合、通信装置５の通信装置６への接続を拒否することを決定し、含まれる場合、通信装置５の通信装置６への接続を許可することを決定する。そして、接続応答を通信処理部４１を介して通信装置６に送信する。また、判定手段４６４は、通信装置５と通信装置６の間の接続を許可した場合、通信装置５から発信要求を受信すると、通信処理部４１を介して通信装置５に着信応答を送信するとともに、通信装置６に発信要求を送信する。そして、通信装置６から着信応答を受信すると、通信処理部４１に転送処理を実行させ、通信装置５とセンタ装置４の間の通信接続を通信装置５と通信装置６の間の通信接続に切り替えさせる。
【０１８１】
図２０は、制御部４６により実行される、接続判定処理の動作を示すフローチャートである。図２０に示す接続判定処理は、図１９のステップＳ１２０２において実行される。
【０１８２】
最初に、要求受信手段４６３は、発信側の通信装置５から接続要求を受信する（ステップＳ１３０１）。次に、判定手段４６４は、着信側の通信装置６の識別情報に関連付けられた装置位置情報を記憶部４５から読み出し（ステップＳ１３０２）、通信装置６の識別情報に関連付けられた着信許可範囲情報を記憶部４５から読み出す（ステップＳ１３０３）。次に、判定手段４６４は、装置位置情報に示される位置が、着信許可範囲情報に示される範囲に含まれるか否かを判定する（ステップＳ１３０４）。そして、装置位置情報に示される位置が着信許可範囲情報に示される範囲に含まれない場合、通信装置５の通信装置６への接続を拒否することを決定する（ステップＳ１３０５）。一方、装置位置情報に示される位置が着信許可範囲情報に示される範囲に含まれる場合、通信装置５の通信装置６への接続を許可することを決定する（ステップＳ１３０６）。
【０１８３】
なお、センタ装置４は、通信装置５の通信装置６への接続を拒否することを決定した場合、通信装置６にその旨を通知し、通信装置６は、その通知を受けると、通信装置５による発信が拒否された旨を表示してもよい。これにより、通信装置６を携帯する警備員は、通信装置５から発信があったが、着信位置が適切でないため、着信できなかったことを認識できる。
【０１８４】
以上説明してきたように、第７の実施形態による通信システムでは、センタ装置が、着信側の通信装置が存在する位置が、着信を許可する位置の範囲に含まれるか否かを判定し、含まれる場合に限り発信側の通信装置を着信側の通信装置に接続する。これにより、第１の実施形態と同様に、通信装置が不適切な場所で利用されることを制限することができる。
【０１８５】
なお、第１の実施形態における第１〜４の各変形例、第２の実施形態の構成又は第３の実施形態の構成を第７の実施形態においても適用することができる。
また、センタ装置は、携帯電話端末ではなく、一般固定電話端末として機能してもよい。その場合、センタ装置は、一般固定電話ネットワーク（アナログ回線又はデジタル回線）と接続するためのインターフェース回路をさらに備え、不図示の一般固定電話ネットワークと接続される。
【０１８６】
次に、本発明の第８の実施形態による警備システムについて説明する。第８の実施形態による警備システムの全体システム構成は、第７の実施形態による警備システム１と同様である。但し、第８の実施形態による警備システム１では、発信側の通信装置が、着信側の通信装置に通話の発信を行う際、センタ装置４が、発信側の通信装置が存在する位置が、発信を許可する位置の範囲に含まれるか否かを判定し、含まれる場合に限り着信側の通信装置を発信側の通信装置に接続する。
【０１８７】
第８の実施形態による警備システム１における通信装置５、通信装置６及びセンタ装置４の通信接続処理の動作シーケンス図は、図１９に示した動作シーケンス図と同様であるため、説明を省略する。
【０１８８】
次に、第８の実施形態によるセンタ装置４の詳細について説明する。第８の実施形態によるセンタ装置４の構成は、第７の実施形態によるセンタ装置４と同様である。
【０１８９】
但し、制御部４６は、発信側の通信装置５が適切な位置に存在するか否かを判定し、適切な位置に存在する場合に限り、通信処理部４１に、着信側の通信装置６を通信装置５に接続させる。
【０１９０】
判定手段４６４は、要求受信手段４６３が、通信処理部４１を介して通信装置５から接続要求を受信すると、発信側の通信装置５の識別情報に関連付けられた装置位置情報及び発信許可範囲情報を記憶部４５から読み出す。判定手段４６４は、装置位置情報に示される位置が、発信許可範囲情報に示される範囲に含まれるか否かを判定し、含まれない場合、通信装置６の通信装置５への接続を拒否することを決定し、含まれる場合、通信装置６の通信装置５への接続を許可することを決定する。
【０１９１】
図２１は、第８の実施形態による制御部４６により実行される、接続判定処理の動作を示すフローチャートである。図２１に示す接続判定処理は、図１９のステップＳ１２０２において実行される。
【０１９２】
最初に、要求受信手段４６３は、発信側の通信装置５から接続要求を受信する（ステップＳ１４０１）。次に、判定手段４６４は、発信側の通信装置５の識別情報に関連付けられた装置位置情報を記憶部４５から読み出し（ステップＳ１４０２）、通信装置５の識別情報に関連付けられた発信許可範囲情報を記憶部４５から読み出す（ステップＳ１４０３）。次に、判定手段４６４は、装置位置情報に示される位置が、発信許可範囲情報に示される範囲に含まれるか否かを判定する（ステップＳ１４０４）。そして、装置位置情報に示される位置が発信許可範囲情報に示される範囲に含まれない場合、通信装置６の通信装置５への接続を拒否することを決定する（ステップＳ１４０５）。一方、装置位置情報に示される位置が発信許可範囲情報に示される範囲に含まれる場合、通信装置６の通信装置５への接続を許可することを決定する（ステップＳ１４０６）。
【０１９３】
以上説明してきたように、第８の実施形態による通信システムでは、センタ装置が、発信側の通信装置が存在する位置が、発信を許可する位置の範囲に含まれるか否かを判定し、含まれる場合に限り着信側の通信装置を発信側の通信装置に接続する。これにより、第１の実施形態と同様に、通信装置が不適切な場所で利用されることを制限することができる。
【０１９４】
なお、第４の実施形態における第１〜４の各変形例、第２の実施形態の構成又は第３の実施形態の構成を第８の実施形態においても適用することができる。
【０１９５】
このように、当業者は、本発明の範囲内で、実施される形態に合わせて様々な変更を行うことができる。例えば、上記第１から第８の実施形態では、屋外に居る警備員が所持する通信装置と同じく屋外に居る警備員が所持する通信装置との間、またはセンタ装置と屋外にいる警備員が所持する通信装置と間の通信接続に関して説明してきたが、施設内に警備員が常駐する常駐サービスに適用してもよい。例えば、建物内にて出入口等の所定の場所で不審者を監視したり建物内の所定場所を巡回しながら監視する警備員の所持する通信装置と同じ建物内に設けられた防災本部との間の通信接続に適用してもよい。この場合、防災本部にセンタ装置が設置され、通信方法はより適切なものを選択するものとする。
【０１９６】
なお、上記に説明した各実施形態では、着信側または発信側の通信端末の位置に応じて通信の接続を行う例について説明したが、110番（警察）・118番（海上保安）・119番（消防）などのいわゆる緊急特番については例外として無条件に発信を可能としてよい。
【符号の説明】
【０１９７】
１    警備システム
２、３    警備装置
４    センタ装置
５、６    通信装置
４１、５１    通信処理部
４５、５５    記憶部
４６、５６    制御部
４６１    許可範囲取得手段
４６２    装置位置受信手段
４６３    要求受信手段
４６４    判定手段
５６１    許可範囲受信手段
５６２    自装置位置取得手段
５６３    相手装置位置受信手段
５６４    判定手段
５６５    許可範囲送信手段
５６６    通信状態受信手段
５６７    通信状態送信手段
【図１】
2014086768.tif 000003
【図２】
2014086768.tif 000004
【図３】
2014086768.tif 000005
【図４】
2014086768.tif 000006
【図５】
2014086768.tif 000007
【図６】
2014086768.tif 000008
【図７】
2014086768.tif 000009
【図８】
2014086768.tif 000010
【図９】
2014086768.tif 000011
【図１０】
2014086768.tif 000012
【図１１】
2014086768.tif 000013
【図１２】
2014086768.tif 000014
【図１３】
2014086768.tif 000015
【図１４】
2014086768.tif 000016
【図１５】
2014086768.tif 000017
【図１６】
2014086768.tif 000018
【図１７】
2014086768.tif 000019
【図１８】
2014086768.tif 000020
【図１９】
2014086768.tif 000021
【図２０】
2014086768.tif 000022
【図２１】
2014086768.tif 000023